(57)【要約】  動画像符号化方法は、動きベクトルを用いて符号化対象ブロックを符号化する画像符号化ステップと、複数の予測動きベクトルを生成する予測動きベクトル候補生成ステップ（Ｓ１１、Ｓ１２）と、複数の予測動きベクトルの１つを用いて動きベクトルを符号化する動きベクトル符号化ステップ（Ｓ１３）とを含み、符号化済みピクチャに含まれる符号化対象ブロックの対応ブロックが２つの参照動きベクトルを有し、且つ当該２つの参照動きベクトルの参照方向が同一である場合（Ｓ１１）、予測動きベクトル候補生成ステップ（Ｓ１２）では、第１の参照動きベクトルを用いて第１の予測ベクトルを生成し、第２の参照動きベクトルを用いて第２の予測ベクトルを生成する。
2012117728.tif 000002
【特許請求の範囲】
【請求項１】
符号化対象ピクチャを構成する符号化対象ブロックを、インター予測符号化する動画像符号化方法であって、
動きベクトルを用いて前記符号化対象ブロックを符号化する画像符号化ステップと、
複数の予測動きベクトルを生成する予測動きベクトル候補生成ステップと、
前記予測動きベクトル候補生成ステップで生成された複数の前記予測動きベクトルの１つを用いて、前記動きベクトルを符号化する動きベクトル符号化ステップとを含み、
符号化済みピクチャに含まれる前記符号化対象ブロックの対応ブロックが２つの参照動きベクトルを有し、且つ当該２つの参照動きベクトルの参照方向が同一である場合、
前記予測動きベクトル候補生成ステップでは、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
動画像符号化方法。
【請求項２】
前記予測動きベクトル候補生成ステップでは、前記符号化済みピクチャが表示順で符号化対象ピクチャより前方に位置し、且つ前記２つの参照動きベクトルが両方とも前方参照である場合に、前記第１の参照動きベクトルを用いて前記第１の予測ベクトルを生成し、前記第２の参照動きベクトルを用いて前記第２の予測ベクトルを生成する
請求項１に記載の動画像符号化方法。
【請求項３】
前記予測動きベクトル候補生成ステップでは、前記符号化済みピクチャが表示順で符号化対象ピクチャより後方に位置し、且つ前記２つの参照動きベクトルが両方とも後方参照である場合に、前記第１の参照動きベクトルを用いて前記第１の予測ベクトルを生成し、前記第２の参照動きベクトルを用いて前記第２の予測ベクトルを生成する
請求項１に記載の動画像符号化方法。
【請求項４】
前記予測動きベクトル候補生成ステップでは、前記２つの参照動きベクトルの参照方向が異なる場合に、前記２つの参照動きベクトルのうち、前記符号化対象ピクチャの方向を参照する参照動きベクトルを用いて、前記第１及び第２の予測ベクトルを生成する
請求項１〜３のいずれか１項に記載の動画像符号化方法。
【請求項５】
前記予測動きベクトル候補生成ステップでは、前記符号化済みピクチャが表示順で符号化対象ピクチャより前方に位置する場合に、前記２つの参照動きベクトルのうちの後方参照の参照動きベクトルを用いて、前記第１及び第２の予測ベクトルを生成する
請求項４に記載の動画像符号化方法。
【請求項６】
前記予測動きベクトル候補生成ステップでは、前記符号化済みピクチャが表示順で符号化対象ピクチャより後方に位置する場合に、前記２つの参照動きベクトルのうちの前方参照の参照動きベクトルを用いて、前記第１及び第２の予測ベクトルを生成する
請求項４に記載の動画像符号化方法。
【請求項７】
復号対象ピクチャを構成する復号対象ブロックを、インター予測復号する動画像復号方法であって、
複数の予測動きベクトルを生成する予測動きベクトル候補生成ステップと、
前記予測動きベクトル候補生成ステップで生成された複数の前記予測動きベクトルの１つを用いて、動きベクトルを復号する動きベクトル復号ステップと、
前記動きベクトル復号ステップで復号された前記動きベクトルを用いて、前記復号対象ブロックを復号する画像復号ステップとを含み、
復号済みピクチャに含まれる前記復号対象ブロックの対応ブロックが２つの参照動きベクトルを有し、且つ当該２つの参照動きベクトルの参照方向が同一である場合、
前記予測動きベクトル候補生成ステップでは、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
動画像復号方法。
【請求項８】
符号化対象ピクチャを構成する符号化対象ブロックを、インター予測符号化する動画像符号化装置であって、
動きベクトルを用いて前記符号化対象ブロックを符号化する画像符号化部と、
複数の予測動きベクトルを生成する予測動きベクトル候補生成部と、
前記予測動きベクトル候補生成部で生成された複数の前記予測動きベクトルの１つを用いて、前記動きベクトルを符号化する動きベクトル符号化部とを備え、
符号化済みピクチャに含まれる前記符号化対象ブロックの対応ブロックが２つの参照動きベクトルを有し、且つ当該２つの参照動きベクトルの参照方向が同一である場合、
前記予測動きベクトル候補生成部は、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
動画像符号化装置。
【請求項９】
復号対象ピクチャを構成する復号対象ブロックを、インター予測復号する動画像復号装置であって、
複数の予測動きベクトルを生成する予測動きベクトル候補生成部と、
前記予測動きベクトル候補生成部で生成された複数の前記予測動きベクトルの１つを用いて、動きベクトルを復号する動きベクトル復号部と、
前記動きベクトル復号部で復号された前記動きベクトルを用いて、前記復号対象ブロックを復号する画像復号部とを備え、
復号済みピクチャに含まれる前記復号対象ブロックの対応ブロックが２つの参照動きベクトルを有し、且つ当該２つの参照動きベクトルの参照方向が同一である場合、
前記予測動きベクトル候補生成部は、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
動画像復号装置。
【請求項１０】
符号化対象ピクチャを構成する符号化対象ブロックをインター予測符号化する動画像符号化部と、前記動画像符号化部で生成された復号対象ブロックをインター予測復号する動画像復号部とを備える動画像符号化復号装置であって、
前記動画像符号化部は、
動きベクトルを用いて前記符号化対象ブロックを符号化する画像符号化部と、
複数の予測動きベクトルを生成する第１の予測動きベクトル候補生成部と、
前記第１の予測動きベクトル候補生成部で生成された複数の前記予測動きベクトルの１つを用いて、前記動きベクトルを符号化する動きベクトル符号化部とを備え、
符号化済みピクチャに含まれる前記符号化対象ブロックの対応ブロックが２つの参照動きベクトルを有し、且つ当該２つの参照動きベクトルの参照方向が同一である場合、
前記第１の予測動きベクトル候補生成部は、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成し、
前記動画像復号部は、
複数の予測動きベクトルを生成する第２の予測動きベクトル候補生成部と、
前記第２の予測動きベクトル候補生成部で生成された複数の前記予測動きベクトルの１つを用いて、動きベクトルを復号する動きベクトル復号部と、
前記動きベクトル復号部で復号された前記動きベクトルを用いて、前記復号対象ブロックを復号する画像復号部とを備え、
復号済みピクチャに含まれる前記復号対象ブロックの対応ブロックが２つの参照動きベクトルを有し、且つ当該２つの参照動きベクトルの参照方向が同一である場合、
前記第２の予測動きベクトル候補生成部は、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
動画像符号化復号装置。
【発明の詳細な説明】
【技術分野】
【０００１】
本発明は、動画像符号化方法および動画像復号方法に関するものである。
【背景技術】
【０００２】
動画像符号化処理では、一般に、動画像が有する空間方向および時間方向の冗長性を利用して情報量の圧縮が行われる。ここで一般に、空間方向の冗長性を利用する方法としては、周波数領域への変換が用いられる。また、時間方向の冗長性を利用する方法としては、ピクチャ間予測（以降、インター予測と呼ぶ）符号化処理が用いられる。【０００３】
インター予測符号化処理では、あるピクチャを符号化する際に、符号化対象ピクチャに対して表示時間順で前方または後方にある符号化済みのピクチャを、参照ピクチャとして用いる。そして、その参照ピクチャに対する符号化対象ピクチャの動き検出により動きベクトルを導出し、動きベクトルに基づいて動き補償を行って得られた予測画像データと符号化対象ピクチャの画像データとの差分を取ることにより、時間方向の冗長性を取り除く。ここで、動き検出では、符号化ピクチャ内の符号化対象ブロックと、参照ピクチャ内のブロックとの差分値を算出し、最も差分値の小さい参照ピクチャ内のブロックを参照ブロックとする。そして、符号化対象ブロックと、参照ブロックとを用いて、動きベクトルを検出する。【０００４】
既に標準化されている、Ｈ．２６４と呼ばれる動画像符号化方式では、情報量の圧縮のために、Ｉピクチャ、Ｐピクチャ、Ｂピクチャという３種類のピクチャタイプを用いている。Ｉピクチャは、インター予測符号化処理を行わない、すなわち、ピクチャ内予測（以降、イントラ予測と呼ぶ）符号化処理のみを行うピクチャである。Ｐピクチャは、表示時間順で、符号化対象ピクチャの前方または後方にある既に符号化済みの１つのピクチャのみを参照してインター予測符号化を行うピクチャである。Ｂピクチャは、表示時間順で、符号化対象ピクチャの前方または後方にある既に符号化済みの２つのピクチャを参照してインター予測符号化を行うピクチャである。【０００５】
インター予測符号化においては、参照ピクチャを特定するための参照ピクチャリストを生成する。参照ピクチャリストは、インター予測で参照する符号化済みの参照ピクチャに参照ピクチャインデックスを割り当てたリストである。例えば、Ｂピクチャでは、２つのピクチャを参照して符号化を行えるため、２つの参照ピクチャリストを保持する。そして、参照ピクチャインデックスにより、参照ピクチャリストから参照ピクチャを特定する。【０００６】
図１３に、Ｂピクチャにおける参照ピクチャリストの例を示す。図１３における参照ピクチャリスト０（以降、参照リストＬ０と呼ぶ）は、双方向予測における予測方向０の参照ピクチャリストの例である。図１３の例では、参照ピクチャインデックス０の値０に表示順２の参照ピクチャ１を、参照ピクチャインデックス０の値１に表示順１の参照ピクチャ２を、参照ピクチャインデックス０の値２に表示順０の参照ピクチャ３を、それぞれ割り当てている。つまり、表示順で符号化対象ピクチャに時間的に近い順に、参照ピクチャインデックスを割り当てている。【０００７】
一方、参照ピクチャリスト１（以降、参照リストＬ１と呼ぶ）は、双方向予測における予測方向１の参照ピクチャリストの例である。図１３の例では、参照ピクチャインデックス１の値０に表示順１の参照ピクチャ２を、参照ピクチャインデックス１の値１に表示順２の参照ピクチャ１を、参照ピクチャインデックス１の値２に表示順０の参照ピクチャ３を、それぞれ割り当てている。【０００８】
このように、各参照ピクチャに対して、予測方向毎に異なる参照ピクチャインデックスを割り当てることや（図１３の参照ピクチャ１、２）、同じ参照ピクチャインデックスを割り当てることが可能である（図１３の参照ピクチャ３）。Ｂピクチャの符号化の際には、参照リストＬ０内の参照ピクチャインデックス０で特定される参照ピクチャを参照する動きベクトル（ｍｖＬ０）と、参照リストＬ１内の参照ピクチャインデックス１で特定される参照ピクチャを参照する動きベクトル（ｍｖＬ１）とを用いてインター予測を行うことになる。Ｐピクチャの場合には、参照リストが１つだけ用いられることになる。【０００９】
また、Ｈ．２６４と呼ばれる動画像符号化方式では、Ｂピクチャの符号化において動きベクトルを導出する際に、時間ダイレクトと呼ぶ符号化モードを選択することができる。時間ダイレクトにおけるインター予測符号化方法を、図１４を用いて説明する。図１４は、時間ダイレクトにおける動きベクトルを示す説明図であり、ピクチャＢ２のブロックａを時間ダイレクトで符号化する場合を示している。【００１０】
この場合、ピクチャＢ２の後方にある参照ピクチャであるピクチャＰ３中の、ブロックａと同じ位置にあるブロックｂの動きベクトルａを利用する。動きベクトルａは、ブロックｂが符号化された際に用いられた動きベクトルであり、ピクチャＰ１を参照している。そして、ブロックａは、動きベクトルａと平行な動きベクトルを用いて、前方参照ピクチャであるピクチャＰ１と、後方参照ピクチャであるピクチャＰ３とから参照ブロックを取得し、２方向予測を行って符号化される。すなわち、ブロックａを符号化する際に用いられる動きベクトルは、ピクチャＰ１に対しては動きベクトルｂ、ピクチャＰ３に対しては動きベクトルｃとなる。
【先行技術文献】
【非特許文献】
【００１１】
【非特許文献１】ＩＴＵ−Ｔ  Ｈ．２６４  ０３／２０１０
【発明の概要】
【発明が解決しようとする課題】
【００１２】
しかしながら、従来の時間ダイレクトでは、時間ダイレクトの際に利用する動きベクトルは、表示時間順で、符号化対象ピクチャの後方にある参照ピクチャの動きベクトルであり、かつ、表示時間順で、前方向の動きベクトルに限られている。【００１３】
このように、時間ダイレクトの際に利用する動きベクトルが限定されることにより、符号化対象ピクチャに最も適した動きベクトルを導出することが困難となり、圧縮率の低下を招くという課題が生じている。【００１４】
本発明は、上記課題を解決することを目的とするものであり、時間ダイレクトの際に利用する動きベクトルを適応的に選択することにより、符号化対象ピクチャに最も適した動きベクトルを導出するとともに、圧縮率を向上させることを目的とする。
【課題を解決するための手段】
【００１５】
本発明の一形態に係る動画像符号化方法は、符号化対象ピクチャを構成する符号化対象ブロックを、インター予測符号化する方法である。具体的には、動画像符号化方法は、動きベクトルを用いて前記符号化対象ブロックを符号化する画像符号化ステップと、複数の予測動きベクトルを生成する予測動きベクトル候補生成ステップと、前記予測動きベクトル候補生成ステップで生成された複数の前記予測動きベクトルの１つを用いて、前記動きベクトルを符号化する動きベクトル符号化ステップとを含む。そして、符号化済みピクチャに含まれる前記符号化対象ブロックの対応ブロックが２つの参照動きベクトルを有し、且つ当該２つの参照動きベクトルの参照方向が同一である場合、前記予測動きベクトル候補生成ステップでは、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する。【００１６】
上記方法によれば、時間ダイレクトの際に利用する動きベクトルを適応的に選択することにより、符号化対象ピクチャに最も適した動きベクトルを導出することが可能になるとともに、圧縮率を向上させることが可能になる。【００１７】
一例として、前記予測動きベクトル候補生成ステップでは、前記符号化済みピクチャが表示順で符号化対象ピクチャより前方に位置し、且つ前記２つの参照動きベクトルが両方とも前方参照である場合に、前記第１の参照動きベクトルを用いて前記第１の予測ベクトルを生成し、前記第２の参照動きベクトルを用いて前記第２の予測ベクトルを生成してもよい。【００１８】
他の例として、前記予測動きベクトル候補生成ステップでは、前記符号化済みピクチャが表示順で符号化対象ピクチャより後方に位置し、且つ前記２つの参照動きベクトルが両方とも後方参照である場合に、前記第１の参照動きベクトルを用いて前記第１の予測ベクトルを生成し、前記第２の参照動きベクトルを用いて前記第２の予測ベクトルを生成してもよい。【００１９】
また、前記予測動きベクトル候補生成ステップでは、前記２つの参照動きベクトルの参照方向が異なる場合に、前記２つの参照動きベクトルのうち、前記符号化対象ピクチャの方向を参照する参照動きベクトルを用いて、前記第１及び第２の予測ベクトルを生成してもよい。【００２０】
一例として、前記予測動きベクトル候補生成ステップでは、前記符号化済みピクチャが表示順で符号化対象ピクチャより前方に位置する場合に、前記２つの参照動きベクトルのうちの後方参照の参照動きベクトルを用いて、前記第１及び第２の予測ベクトルを生成してもよい。【００２１】
他の例として、前記予測動きベクトル候補生成ステップでは、前記符号化済みピクチャが表示順で符号化対象ピクチャより後方に位置する場合に、前記２つの参照動きベクトルのうちの前方参照の参照動きベクトルを用いて、前記第１及び第２の予測ベクトルを生成してもよい。【００２２】
本発明の一形態に係る動画像復号方法は、復号対象ピクチャを構成する復号対象ブロックを、インター予測復号する方法である。具体的には、動画像復号方法は、複数の予測動きベクトルを生成する予測動きベクトル候補生成ステップと、前記予測動きベクトル候補生成ステップで生成された複数の前記予測動きベクトルの１つを用いて、動きベクトルを復号する動きベクトル復号ステップと、前記動きベクトル復号ステップで復号された前記動きベクトルを用いて、前記復号対象ブロックを復号する画像復号ステップとを含む。そして、復号済みピクチャに含まれる前記復号対象ブロックの対応ブロックが２つの参照動きベクトルを有し、且つ当該２つの参照動きベクトルの参照方向が同一である場合、前記予測動きベクトル候補生成ステップでは、前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する。【００２３】
本発明の一形態に係る動画像符号化方法は、符号化対象ピクチャを構成する符号化対象ブロックを、インター予測符号化する方法である。具体的には、動画像符号化装置は、動きベクトルを用いて前記符号化対象ブロックを符号化する画像符号化部と、複数の予測動きベクトルを生成する予測動きベクトル候補生成部と、前記予測動きベクトル候補生成部で生成された複数の前記予測動きベクトルの１つを用いて、前記動きベクトルを符号化する動きベクトル符号化部とを備える。そして、符号化済みピクチャに含まれる前記符号化対象ブロックの対応ブロックが２つの参照動きベクトルを有し、且つ当該２つの参照動きベクトルの参照方向が同一である場合、前記予測動きベクトル候補生成部は、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する。【００２４】
本発明の一形態に係る動画像復号装置は、復号対象ピクチャを構成する復号対象ブロックを、インター予測復号する方法である。具体的には、動画像復号装置は、複数の予測動きベクトルを生成する予測動きベクトル候補生成部と、前記予測動きベクトル候補生成部で生成された複数の前記予測動きベクトルの１つを用いて、動きベクトルを復号する動きベクトル復号部と、前記動きベクトル復号部で復号された前記動きベクトルを用いて、前記復号対象ブロックを復号する画像復号部とを備える。そして、復号済みピクチャに含まれる前記復号対象ブロックの対応ブロックが２つの参照動きベクトルを有し、且つ当該２つの参照動きベクトルの参照方向が同一である場合、前記予測動きベクトル候補生成部は、前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する。【００２５】
本発明の一形態に係る動画像符号化復号装置は、符号化対象ピクチャを構成する符号化対象ブロックをインター予測符号化する動画像符号化部と、前記動画像符号化部で生成された復号対象ブロックをインター予測復号する動画像復号部とを備える。前記動画像符号化部は、動きベクトルを用いて前記符号化対象ブロックを符号化する画像符号化部と、複数の予測動きベクトルを生成する第１の予測動きベクトル候補生成部と、前記第１の予測動きベクトル候補生成部で生成された複数の前記予測動きベクトルの１つを用いて、前記動きベクトルを符号化する動きベクトル符号化部とを備える。そして、符号化済みピクチャに含まれる前記符号化対象ブロックの対応ブロックが２つの参照動きベクトルを有し、且つ当該２つの参照動きベクトルの参照方向が同一である場合、前記第１の予測動きベクトル候補生成部は、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する。前記動画像復号部は、複数の予測動きベクトルを生成する第２の予測動きベクトル候補生成部と、前記第２の予測動きベクトル候補生成部で生成された複数の前記予測動きベクトルの１つを用いて、動きベクトルを復号する動きベクトル復号部と、前記動きベクトル復号部で復号された前記動きベクトルを用いて、前記復号対象ブロックを復号する画像復号部とを備える。そして、復号済みピクチャに含まれる前記復号対象ブロックの対応ブロックが２つの参照動きベクトルを有し、且つ当該２つの参照動きベクトルの参照方向が同一である場合、前記第２の予測動きベクトル候補生成部は、前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する。
【発明の効果】
【００２６】
本発明によれば、時間ダイレクトの際に利用する動きベクトルを適応的に選択することにより、符号化対象ピクチャに最も適した動きベクトルを導出することが可能になるとともに、圧縮率を向上させることが可能になる。
【図面の簡単な説明】
【００２７】
【図１Ａ】図１Ａは、実施の形態１に係る動画像符号化装置のブロック図である。
【図１Ｂ】図１Ｂは、ｃｏ−ｌｏｃａｔｅｄブロックの位置を示す図である。
【図２】図２は、実施の形態１に係る動画像符号化方法の処理フローの概要である。
【図３Ａ】図３Ａは、予測動きベクトルの候補の例を示す図である。
【図３Ｂ】図３Ｂは、予測動きベクトルの候補の優先順位の一例を示す図である。
【図３Ｃ】図３Ｃは、予測動きベクトルの候補の優先順位の他の例を示す図である。
【図３Ｄ】図３Ｄは、予測動きベクトルの候補の優先順位の他の例を示す図である。
【図３Ｅ】図３Ｅは、予測動きベクトルの候補の優先順位の他の例を示す図である。
【図４】図４は、予測動きベクトルインデックスを可変長符号化する場合の符号表の例を示す図である。
【図５】図５は、予測動きベクトルの候補の決定フローを示す図である。
【図６】図６は、図２のステップＳ１２の詳細な処理フローを示す図である。
【図７Ａ】図７Ａは、ｃｏ−ｌｏｃａｔｅｄブロックが前方２度参照の場合の時間ダイレクトベクトルの算出方法の例を示す図である。
【図７Ｂ】図７Ｂは、ｃｏ−ｌｏｃａｔｅｄブロックが後方２度参照の場合の時間ダイレクトベクトルの算出方法の例を示す図である。
【図８Ａ】図８Ａは、ｃｏ−ｌｏｃａｔｅｄブロックが後方参照ブロックであり、且つ前方参照動きベクトルと後方参照動きベクトルとの両方を有する場合の時間ダイレクトベクトルの算出方法の例を示す図である。
【図８Ｂ】図８Ｂは、ｃｏ−ｌｏｃａｔｅｄブロックが後方参照ブロックであり、且つ後方参照動きベクトルのみ有する場合の時間ダイレクトベクトルの算出方法の例を示す図である。
【図９Ａ】図９Ａは、ｃｏ−ｌｏｃａｔｅｄブロックが前方参照ブロックであり、且つ前方参照動きベクトルと後方参照動きベクトルとの両方を有する場合の時間ダイレクトベクトルの算出方法の例を示す図である。
【図９Ｂ】図９Ｂは、ｃｏ−ｌｏｃａｔｅｄブロックが前方参照ブロックであり、且つ前方参照動きベクトルのみ有する場合の時間ダイレクトベクトルの算出方法の例を示す図である。
【図１０】図１０は、図２のステップＳ１２の詳細な処理フローの他の例を示す図である。
【図１１】図１１は、実施の形態３に係る動画像復号装置のブロック図である。
【図１２】図１２は、実施の形態３に係る動画像復号方法の処理フローの概要である。
【図１３】図１３は、Ｂピクチャにおける参照ピクチャリストの例を示す図である。
【図１４】図１４は、時間ダイレクトにおけるインター予測符号化方法を説明するための図である。
【図１５】図１５は、コンテンツ配信サービスを実現するコンテンツ供給システムの全体構成図である。
【図１６】図１６は、デジタル放送用システムの全体構成図である。
【図１７】図１７は、テレビの構成例を示すブロック図である。
【図１８】図１８は、光ディスクである記録メディアに情報の読み書きを行う情報再生／記録部の構成例を示すブロック図である。
【図１９】図１９は、光ディスクである記録メディアの構造例を示す図である。
【図２０】図２０は、（ａ）携帯電話の一例を示す図（ｂ）携帯電話の構成例を示すブロック図である。
【図２１】図２１は、多重化データの構成を示す図である。
【図２２】図２２は、各ストリームが多重化データにおいてどのように多重化されているかを模式的に示す図である。
【図２３】図２３は、ＰＥＳパケット列に、ビデオストリームがどのように格納されるかを更に詳しく示した図である。
【図２４】図２４は、多重化データにおけるＴＳパケットとソースパケットの構造を示す図である。
【図２５】図２５は、ＰＭＴのデータ構成を示す図である。
【図２６】図２６は、多重化データ情報の内部構成を示す図である。
【図２７】図２７は、ストリーム属性情報の内部構成を示す図である。
【図２８】図２８は、映像データを識別するステップを示す図である。
【図２９】図２９は、各実施の形態の動画像符号化方法および動画像復号化方法を実現する集積回路の構成例を示すブロック図である。
【図３０】図３０は、駆動周波数を切り替える構成を示す図である。
【図３１】図３１は、映像データを識別し、駆動周波数を切り替えるステップを示す図である。
【図３２】図３２は、映像データの規格と駆動周波数を対応づけたルックアップテーブルの一例を示す図である。
【図３３】図３３は、（ａ）信号処理部のモジュールを共有化する構成の一例を示す図（ｂ）信号処理部のモジュールを共有化する構成の他の一例を示す図である。
【発明を実施するための形態】
【００２８】
以下、本発明の実施の形態について、図面を参照しながら説明する。
【００２９】
（実施の形態１）
図１Ａは、本発明の実施の形態１に係る動画像符号化装置を示すブロック図である。
【００３０】
動画像符号化装置１００は、図１Ａに示すように、減算部１０１と、直交変換部１０２と、量子化部１０３と、逆量子化部１０４と、逆直交変換部１０５と、加算部１０６と、ブロックメモリ１０７と、フレームメモリ１０８と、イントラ予測部１０９と、インター予測部１１０と、スイッチ１１１と、インター予測制御部１１２と、ピクチャタイプ決定部１１３と、時間ダイレクトベクトル算出部１１４と、ｃｏ−ｌｏｃａｔｅｄ参照方向決定部１１５と、可変長符号化部１１６とを備えている。
【００３１】
減算部１０１は、装置外部から符号化対象ブロックを含む入力画像列を取得し、スイッチ１１１から予測ブロックを取得し、符号化対象ブロックから予測ブロックを減算して得られる残差ブロックを直交変換部１０２に出力する。
【００３２】
直交変換部１０２は、減算部１０１から取得した残差ブロックを画像領域から周波数領域に変換し、変換係数を量子化部１０３に出力する。量子化部１０３は、量子化部１０３から取得した変換係数を量子化し、量子化係数を逆量子化部１０４及び可変長符号化部１１６に出力する。
【００３３】
逆量子化部１０４は、量子化部１０３から取得した量子化係数を逆量子化し、復元された変換係数を逆直交変換部１０５に出力する。逆直交変換部１０５は、逆量子化部１０４から取得した復元された変換係数を周波数領域から画像領域に変換し、復元された残差ブロックを加算部１０６に出力する。
【００３４】
加算部１０６は、逆直交変換部１０５から取得した復元された残差ブロックと、スイッチ１１１から取得した予測ブロックとを加算し、復元された符号化対象ブロック（入力画像列）をブロックメモリ１０７及びフレームメモリ１０８に出力する。ブロックメモリ１０７は、復元された入力画像列をブロック単位で保存する。フレームメモリ１０８は、復元された入力画像列をフレーム単位で保存する。
【００３５】
ピクチャタイプ決定部１１３は、Ｉピクチャ、Ｂピクチャ、Ｐピクチャのいずれのピクチャタイプで入力画像列を符号化するかを決定し、ピクチャタイプ情報を生成する。そして、ピクチャタイプ決定部１１３は、生成したピクチャタイプ情報を、スイッチ１１１、インター予測制御部１１２、ｃｏ−ｌｏｃａｔｅｄ参照方向決定部１１５、及び可変長符号化部１１６に出力する。
【００３６】
イントラ予測部１０９は、ブロックメモリ１０７に保存されているブロック単位の復元された入力画像列を用いて、符号化対象ブロックをイントラ予測して予測ブロックを生成し、スイッチ１１１に出力する。インター予測部１１０は、フレームメモリ１０８に保存されているフレーム単位の復元された入力画像列と、動き検出により導出した動きベクトルとを用いて、符号化対象ブロックをインター予測して予測ブロックを生成し、スイッチ１１１に出力する。
【００３７】
スイッチ１１１は、イントラ予測部１０９で生成された予測ブロック、又はインター予測部１１０で生成された予測ブロックを、減算部１０１及び加算部１０６に出力する。例えば、スイッチ１１１は、２つの予測ブロックのうち、符号化コストの小さい方の予測ブロックを出力するようにすればよい。
【００３８】
ｃｏ−ｌｏｃａｔｅｄ参照方向決定部１１５は、表示時間順で符号化対象ピクチャより前方に位置するピクチャに含まれるブロック（以降、前方参照ブロックと呼ぶ）、または、表示時間順で符号化対象ピクチャより後方に位置するピクチャに含まれるブロック（以降、後方参照ブロックと呼ぶ）のいずれをｃｏ−ｌｏｃａｔｅｄブロックとするかを決定する。そして、ｃｏ−ｌｏｃａｔｅｄ参照方向決定部１１５は、ｃｏ−ｌｏｃａｔｅｄ参照方向フラグをピクチャ毎に生成し、時間ダイレクトベクトル算出部１１４及び可変長符号化部１１６に出力する。
【００３９】
ここで、ｃｏ−ｌｏｃａｔｅｄブロックとは、符号化対象ブロックを含む符号化対象ピクチャとは異なる符号化済みピクチャ内のブロックで、かつ、符号化済みピクチャ内における位置が、符号化対象ブロックと同じ位置になるブロックである（図１ＢのブロックＡ）。なお、本実施の形態では、ｃｏ−ｌｏｃａｔｅｄブロックは、符号化済みピクチャ内における位置が、符号化対象ブロックと同じ位置になるブロックとしたが、必ずしもこれに限らない。例えば、図１ＢのブロックＢ、Ｃ、Ｄ、Ｅのように、符号化対象ブロックと同じ位置のブロックＡの周辺ブロック等をｃｏ−ｌｏｃａｔｅｄブロックとして用いても構わない。これにより、例えば、ブロックＡがイントラ予測で符号化されたために、動きベクトルを保持しない場合等に、周辺のブロックＢ、Ｃ、Ｄ、Ｅをｃｏ−ｌｏｃａｔｅｄブロックとして使用することができる。その結果、時間ダイレクトベクトルの精度を向上でき、符号化効率を向上させることができる。
【００４０】
時間ダイレクトベクトル算出部１１４は、ｃｏ−ｌｏｃａｔｅｄブロックの参照動きベクトルを用いて、時間ダイレクトにより、予測動きベクトルの候補である時間ダイレクトベクトルを導出する。そして、時間ダイレクトベクトル算出部１１４は、導出した時間ダイレクトベクトルをインター予測制御部１１２に出力する。
【００４１】
具体的には、ｃｏ−ｌｏｃａｔｅｄブロックが有する２つの参照動きベクトルの参照方向が同一である場合、時間ダイレクトベクトル算出部１１４は、ｃｏ−ｌｏｃａｔｅｄブロックの２つの動きベクトルを用いて、時間ダイレクトにより、予測動きベクトルの候補（予測方向０の時間ダイレクトベクトルＴＭＶＬ０、予測方向１の時間ダイレクトベクトルＴＭＶＬ１）を導出する。また、時間ダイレクトベクトル算出部１１４は、各予測方向の時間ダイレクトベクトルに、それぞれに対応する予測動きベクトルインデックスの値を割り振る。なお、「２つの参照動きベクトルの参照方向が同一」とは、ｃｏ−ｌｏｃａｔｅｄブロックが、２つの前方参照動きベクトル（表示順で符号化済みピクチャより前方に位置するピクチャを参照して算出される動きベクトル）、または、２つの後方参照動きベクトル（表示順で符号化済みピクチャより後方に位置するピクチャを参照して算出される動きベクトル）を有している場合を指す。
【００４２】
一方、ｃｏ−ｌｏｃａｔｅｄブロックが、２つの前方参照動きベクトル、または、２つの後方参照動きベクトルを有していない場合（典型的には、２つの参照動きベクトルの参照方向が異なる場合）、時間ダイレクトベクトル算出部１１４は、ｃｏ−ｌｏｃａｔｅｄブロックが前方参照ブロックであるか、後方参照ブロックであるかにより、時間ダイレクトに用いるｃｏ−ｌｏｃａｔｅｄブロックの動きベクトルを決定する。具体的には、時間ダイレクトベクトル算出部１１４は、ｃｏ−ｌｏｃａｔｅｄブロックが有する２つの参照動きベクトルのうち、符号化対象ピクチャの方向を参照する参照動きベクトルを用いて、予測動きベクトルの候補を算出する。
【００４３】
ｃｏ−ｌｏｃａｔｅｄブロックが後方参照ブロックである場合、時間ダイレクトベクトル算出部１１４は、ｃｏ−ｌｏｃａｔｅｄブロックの前方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。
【００４４】
但し、ｃｏ−ｌｏｃａｔｅｄブロックが前方参照動きベクトルを有していない場合（すなわち、ｃｏ−ｌｏｃａｔｅｄブロックが後方参照動きベクトルのみを有している場合）、時間ダイレクトベクトル算出部１１４は、ｃｏ−ｌｏｃａｔｅｄブロックの後方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。
【００４５】
一方、ｃｏ−ｌｏｃａｔｅｄブロックが前方参照ブロックである場合、時間ダイレクトベクトル算出部１１４は、ｃｏ−ｌｏｃａｔｅｄブロックの後方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。
【００４６】
但し、ｃｏ−ｌｏｃａｔｅｄブロックが後方参照動きベクトルを有していない場合（すなわち、ｃｏ−ｌｏｃａｔｅｄブロックが前方参照動きベクトルのみを有している場合）、時間ダイレクトベクトル算出部１１４は、ｃｏ−ｌｏｃａｔｅｄブロックの前方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。
【００４７】
インター予測制御部１１２は、複数の予測動きベクトルの候補のうちから、動き検出により導出された動きベクトルとの誤差が最も小さい予測動きベクトルを用いて、動きベクトルの符号化を行うと決定する。ここで、誤差とは、例えば、予測動きベクトル候補と動き検出により導出された動きベクトルとの差分値を示す。また、インター予測制御部１１２は、決定した予測動きベクトルに対応する予測動きベクトルインデックスをブロック毎に生成する。そして、インター予測制御部１１２は、予測動きベクトルインデックスと、予測動きベクトル候補の誤差情報とを、可変長符号化部１１６に送る。
【００４８】
可変長符号化部１１６は、量子化部１０３から取得した量子化係数と、インター予測制御部１１２から取得した予測動きベクトルインデックス及び予測動きベクトルの候補の誤差情報と、ピクチャタイプ決定部１１３から取得したピクチャタイプ情報と、ｃｏ−ｌｏｃａｔｅｄ参照方向決定部１１５から取得したｃｏ−ｌｏｃａｔｅｄ参照方向フラグとを、可変長符号化してビットストリームを生成する。
【００４９】
図２は、本発明の実施の形態１に係る動画像符号化方法の処理フローの概要である。
【００５０】
ｃｏ−ｌｏｃａｔｅｄ参照方向決定部１１５は、予測動きベクトルの候補を時間ダイレクトで導出する際に、前方参照ブロック、または、後方参照ブロックのいずれをｃｏ−ｌｏｃａｔｅｄブロックとするか決定する（Ｓ１１）。また、ｃｏ−ｌｏｃａｔｅｄ参照方向決定部１１５は、ｃｏ−ｌｏｃａｔｅｄブロックが前方参照ブロックであるか後方参照ブロックであるかを示すｃｏ−ｌｏｃａｔｅｄブロック参照フラグをピクチャ毎に生成し、時間ダイレクトベクトル算出部１１４及び可変長符号化部１１６に出力する。
【００５１】
次に、時間ダイレクトベクトル算出部１１４は、ｃｏ−ｌｏｃａｔｅｄブロックの参照動きベクトルを用いて、時間ダイレクトにより、予測動きベクトルの候補を導出する。ｃｏ−ｌｏｃａｔｅｄブロックが、２つの前方参照動きベクトル、または、２つの後方参照動きベクトルを有している場合、時間ダイレクトベクトル算出部１１４は、ｃｏ−ｌｏｃａｔｅｄブロックの２つの動きベクトルを用いて、時間ダイレクトにより、予測動きベクトルの候補（予測方向０の時間ダイレクトベクトルＴＭＶＬ０、予測方向１の時間ダイレクトベクトルＴＭＶＬ１）を導出する。また、時間ダイレクトベクトル算出部１１４は、各予測方向の時間ダイレクトベクトルに、予測動きベクトルインデックスの値を割り振る。
【００５２】
より具体的には、時間ダイレクトベクトル算出部１１４は、ｃｏ−ｌｏｃａｔｅｄブロックが有する２つの参照動きベクトルのうちの第１の参照ピクチャリストに対応する第１の参照動きベクトルを用いて、符号化対象ブロックの第１の参照ピクチャリストに対応する第１の予測ベクトル（ＴＶＭＬ０）を生成する。また、時間ダイレクトベクトル算出部１１４は、ｃｏ−ｌｏｃａｔｅｄブロックが有する２つの参照動きベクトルのうちの第２の参照ピクチャリストに対応する第２の参照動きベクトルを用いて、符号化対象ブロックの第２の参照ピクチャリストに対応する第２の予測ベクトル（ＴＶＭＬ１）を生成する。
【００５３】
ここで、一般に、予測動きベクトルインデックスは、値の小さい場合に必要な情報量が少なくなる。一方、予測動きベクトルインデックスの値が大きくなると、必要な情報量が大きくなる。従って、より精度の高い動きベクトルとなる可能性の高い動きベクトルに、小さい予測動きベクトルインデックスを割り当てると、符号化効率が高くなる。
【００５４】
一方、ｃｏ−ｌｏｃａｔｅｄブロックが、２つの前方参照動きベクトル、または、２つの後方参照動きベクトルを有していない場合、時間ダイレクトベクトル算出部１１４は、ｃｏ−ｌｏｃａｔｅｄブロックが前方参照ブロックであるか、後方参照ブロックであるかにより、時間ダイレクトに用いるｃｏ−ｌｏｃａｔｅｄブロックの動きベクトルを決定する。
【００５５】
ｃｏ−ｌｏｃａｔｅｄブロックが後方参照ブロックである場合、時間ダイレクトベクトル算出部１１４は、ｃｏ−ｌｏｃａｔｅｄブロックの前方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。但し、ｃｏ−ｌｏｃａｔｅｄブロックが前方参照動きベクトルを有していない場合、時間ダイレクトベクトル算出部１１４は、ｃｏ−ｌｏｃａｔｅｄブロックの後方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。
【００５６】
一方、ｃｏ−ｌｏｃａｔｅｄブロックが前方参照ブロックである場合、時間ダイレクトベクトル算出部１１４は、ｃｏ−ｌｏｃａｔｅｄブロックの後方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。但し、ｃｏ−ｌｏｃａｔｅｄブロックが後方参照動きベクトルを有していない場合、時間ダイレクトベクトル算出部１１４は、ｃｏ−ｌｏｃａｔｅｄブロックの前方参照動きベクトルを用いて、時間ダイレクトにより予測動きベクトルの候補（予測方向０の時間ダイレクトベクトルＴＭＶＬ０、予測方向１の時間ダイレクトベクトルＴＭＶＬ１）を導出する。
【００５７】
次に、インター予測部１１０は、動き検出により導出された動きベクトルを用いて、インター予測により符号化対象ピクチャを符号化する。また、インター予測制御部１１２は、各予測方向の予測動きベクトルの候補うちから、誤差の最も小さい予測動きベクトルを用いて、各予測方向の動きベクトルの符号化を行うと決定する。例えば、インター予測制御部１１２は、予測動きベクトルの候補と動き検出により導出された動きベクトルとの差分値を誤差とし、最も誤差の小さい予測動きベクトルを、動きベクトルの符号化を行う際に用いると決定する。そして、可変長符号化部１１６は、選択した予測動きベクトルの候補に対応する予測動きベクトルインデックスと、決定した予測動きベクトル候補の誤差情報とを、量子化係数等と共に可変長符号化する（Ｓ１３）。
【００５８】
図３Ａは、予測動きベクトルの候補の例を示している。動きベクトルＭＶＬ０＿Ａ、ＭＶＬ１＿Ａは、符号化対象ブロックの左隣に位置する隣接ブロックＡの予測方向０の動きベクトルおよび予測方向１の動きベクトルである。動きベクトルＭＶＬ０＿Ｂ、ＭＶＬ１＿Ｂは、符号化対象ブロックの上隣に位置する隣接ブロックＢの予測方向０の動きベクトルおよび予測方向１の動きベクトルである。動きベクトルＭＶＬ０＿Ｃは、符号化対象ブロックの右上隣に位置する隣接ブロックＣの予測方向０の動きベクトルである。また、隣接ブロックＡおよび隣接ブロックＢは双方向予測、隣接ブロックＣは片方向予測である。また、予測方向Ｘ（Ｘ＝０，１）のＭｅｄｉａｎ（ＭＶＬＸ＿Ａ，ＭＶＬＸ＿Ｂ，ＭＶＬＸ＿Ｃ）は、動きベクトルＭＶＬＸ＿Ａ、ＭＶＬＸ＿Ｂ、ＭＶＬＸ＿Ｃの中間値を示している。ここで、中間値は、例えば、以下のように導出される。
【００５９】
【数１】
2012117728.tif 000003
【００６０】
【数２】
2012117728.tif 000004
【００６１】
【数３】
2012117728.tif 000005
【００６２】
予測方向０の予測動きベクトルインデックスの値は、Ｍｅｄｉａｎ（ＭＶＬ０＿Ａ，ＭＶＬ０＿Ｂ，ＭＶＬ０＿Ｃ）に対応する値を０とし、動きベクトルＭＶＬ０＿Ａに対応する値を１とし、ＭＶＬ０＿Ｂに対応する値を２とし、ＭＶＬ０＿Ｃに対応する値を３とし、時間ダイレクトベクトルＴＭＶＬ０に対応する値を４としている。また、予測方向１の予測動きベクトルインデックスの値は、Ｍｅｄｉａｎ（ＭＶＬ１＿Ａ，ＭＶＬ１＿Ｂ，０）に対応する値を０とし、動きベクトルＭＶＬ１＿Ａに対応する値を１とし、ＭＶＬ１＿Ｂに対応する値を２とし、時間ダイレクトベクトルＴＭＶＬ１に対応する値を３としている。
【００６３】
なお、予測動きベクトルインデックスの割り当て方は、この例に限らない。例えば、ｃｏ−ｌｏｃａｔｅｄブロックの有する動きベクトルの参照方向に応じて、予測動きベクトルインデックスの割当を切り替えるなどが考えられる。具体的な例を図３Ｂ〜３Ｅに示す。
【００６４】
図３Ｂは、ｃｏ−ｌｏｃａｔｅｄブロックの２つの動きベクトルが、共に前方参照動きベクトル（以下、「前方２度参照」と表記する）または後方参照動きベクトル（以下、「後方２度参照」と表記する）であり、かつ、各動きベクトルの参照方向が、符号化対象ブロックを含む符号化対象ピクチャの方向に一致する場合の予測動きベクトルインデックスの割り当て例を示す図である。この場合には、各々の動きベクトルから算出した予測方向Ｘの時間ダイレクトベクトルＴＭＶＬＸは、他の予測動きベクトルの候補よりも精度が高い可能性がある。このため、図３Ｂのように、時間ダイレクトベクトルＴＭＶＬＸに、より小さい予測動きベクトルインデックスを割り当てる。
【００６５】
また、図３Ｃは、ｃｏ−ｌｏｃａｔｅｄブロックの２つの動きベクトルが、共に前方参照動きベクトルまたは後方参照動きベクトルであり、かつ、各動きベクトルの参照方向が、符号化対象ブロックを含む符号化対象ピクチャの方向とは逆方向である場合の予測動きベクトルインデックスの割り当て例を示す図である。この場合には、各々の動きベクトルから算出した予測方向Ｘの時間ダイレクトベクトルよりも、他の予測動きベクトルの候補に、より小さい予測動きベクトルインデックスを割り当てる。
【００６６】
また、図３Ｄは、ｃｏ−ｌｏｃａｔｅｄブロックの動きベクトルが、前方参照動きベクトルまたは後方参照動きベクトルであり、かつ、その動きベクトルの参照方向が、符号化対象ブロックを含む符号化対象ピクチャの方向である場合の予測動きベクトルインデックスの割り当て例を示す図である。この場合には、動きベクトルから算出した予測方向Ｘの時間ダイレクトベクトルは、他の予測動きベクトルの候補よりも精度が高い可能性がある。このため、図３Ｄのように、時間ダイレクトベクトルに、より小さい予測動きベクトルインデックスを割り当てる。
【００６７】
また、図３Ｅは、ｃｏ−ｌｏｃａｔｅｄブロックの動きベクトルが、前方参照動きベクトルまたは後方参照動きベクトルであり、かつ、その動きベクトルの参照方向が、符号化対象ブロックを含むピクチャ方向と逆方向である場合の予測動きベクトルインデックスの割り当て例を示す図である。この場合には、動きベクトルから算出した予測方向Ｘの時間ダイレクトベクトルよりも、他の予測動きベクトルの候補により小さい予測動きベクトルインデックスを割り当てる。
【００６８】
このように、ｃｏ−ｌｏｃａｔｅｄブロックの有する動きベクトルの参照方向に応じて、予測動きベクトルインデックスの割り当て方法を切り替えることによって、予測精度が良い可能性の高い予測動きベクトルの候補に、小さい予測動きベクトルインデックスを割り当てることができるので、符号化効率を向上させることができる。
【００６９】
図４は、予測動きベクトルインデックスを可変長符号化する際に用いる、符号表の例を示している。図４の例では、予測動きベクトルインデックスの値の小さい順に、符号長の短い符号を割り当てている。従って、予測精度が良い可能性の高い予測動きベクトル候補に、小さい予測動きベクトルインデックスを割り当てることにより、符号化効率を向上させることができる。
【００７０】
図５は、インター予測制御部１１２が実行する予測動きベクトルの候補の決定フローを示す図である。図５に示すフローにより、インター予測制御部１１２は、複数の予測動きベクトルの候補のうちから、動き検出により導出した各予測方向の動きベクトルとの誤差が最も小さい予測動きベクトルを、各予測方向の動きベクトルを符号化する際に用いると決定する。そして、可変長符号化部１１６は、決定した予測動きベクトル候補の誤差情報と、決定した予測動きベクトルを示す予測動きベクトルインデックスとを可変長符号化する。
【００７１】
具体的には、まず、インター予測制御部１１２は、予測動きベクトル候補インデックスｍｖｐ＿ｉｄｘ、及び最小動きベクトル誤差を初期化する（Ｓ２１）。次に、インター予測制御部１１２は、予測動きベクトル候補インデックスｍｖｐ＿ｉｄｘと、予測動きベクトル候補数（図３に示されるテーブルのレコード数）とを比較する（Ｓ２２）。
【００７２】
ｍｖｐ＿ｉｄｘ＜予測動きベクトル候補数（Ｓ２２でＹｅｓ）であれば、インター予測制御部１１２は、複数の予測動きベクトルの候補のうちの１つを用いて、動きベクトル誤差（誤差情報）を算出する（Ｓ２３）。例えば、インター予測制御部１１２は、符号化対象ブロックの符号化に用いた動きベクトルから、図３の予測動きベクトルインデックス＝０の予測動きベクトルを減算することによって、動きベクトル誤差を算出する。
【００７３】
次に、インター予測制御部１１２は、ステップＳ２３で算出した動きベクトル誤差と、最小動きベクトル誤差とを比較する（Ｓ２４）。動きベクトル誤差＜最小動きベクトル誤差（Ｓ２４でＹｅｓ）であれば、インター予測制御部１１２は、ステップＳ２３で算出した動きベクトル誤差を最小動きベクトル誤差にセット（上書き）し、現在のｍｖｐ＿ｉｄｘを予測動きベクトルインデックスにセット（上書き）する（Ｓ２５）。一方、動きベクトル誤差≧最小動きベクトル誤差（Ｓ２４でＮｏ）であれば、ステップＳ２５はスキップされる。
【００７４】
そして、インター予測制御部１１２は、ｍｖｐ＿ｉｄｘを１だけインクリメント（Ｓ２６）し、上記の各処理（ステップＳ２２〜ステップＳ２６）を予測動きベクトルの候補数だけ繰り返し実行する。そして、インター予測制御部１１２は、ｍｖｐ＿ｉｄｘ＝予測動きベクトル候補数（Ｓ２２）となるタイミングで、最小動きベクトル誤差及び予測動きベクトルインデックスにセットされている値を、可変長符号化部１１８に出力し、図５の処理を終了する（Ｓ２７）。
【００７５】
図６は、図２のステップＳ１２の詳細な処理フローである。以下、図６について説明する。
【００７６】
まず、時間ダイレクトベクトル算出部１１４は、ｃｏ−ｌｏｃａｔｅｄブロックが、参照動きベクトルを有しているか否かを判断する（Ｓ３１）。ｃｏ−ｌｏｃａｔｅｄブロックが参照動きベクトルを有していると判断された場合（Ｓ３１でＹｅｓ）、時間ダイレクトベクトル算出部１１４は、ｃｏ−ｌｏｃａｔｅｄブロックが前方２度参照、または、後方２度参照であるか否かを判断する（Ｓ３２）。
【００７７】
ｃｏ−ｌｏｃａｔｅｄブロックが、前方２度参照、または、後方２度参照であると判断された場合（Ｓ３２でＹｅｓ）、時間ダイレクトベクトル算出部１１４は、ｃｏ−ｌｏｃａｔｅｄブロックの動きベクトル（ｍｖＬ０）を用いて、時間ダイレクトにより、予測方向０の時間ダイレクトベクトルＴＭＶＬ０を導出する（Ｓ３３）。また、時間ダイレクトベクトル算出部１１４は、ｃｏ−ｌｏｃａｔｅｄブロックの動きベクトル（ｍｖＬ１）を用いて、時間ダイレクトにより、予測方向１の時間ダイレクトベクトルＴＭＶＬ１を導出する（Ｓ３４）。そして、時間ダイレクトベクトル算出部１１４は、予測方向０、１の予測動きベクトルの候補に、時間ダイレクトベクトルＴＭＶＬ０、ＴＭＶＬ１それぞれを追加する（Ｓ３５）。
【００７８】
一方、ｃｏ−ｌｏｃａｔｅｄブロックが、前方２度参照及び後方２度参照のいずれでもないと判断された場合（Ｓ３２でＮｏ）、時間ダイレクトベクトル算出部１１４は、ｃｏ−ｌｏｃａｔｅｄブロックが後方参照ブロックであるか否かを判断する（Ｓ３６）。
【００７９】
ｃｏ−ｌｏｃａｔｅｄブロックが後方参照ブロックであると判断された場合（Ｓ３６でＹｅｓ）、時間ダイレクトベクトル算出部１１４は、ｃｏ−ｌｏｃａｔｅｄブロックが前方参照動きベクトル（ｍｖＬ０）を有するか否かを判断する（Ｓ３７）。ｃｏ−ｌｏｃａｔｅｄブロックが前方参照動きベクトル（ｍｖＬ０）を有する判断された場合（Ｓ３７でＹｅｓ）、時間ダイレクトベクトル算出部１１４は、前方参照動きベクトル（ｍｖＬ０）を用いて、時間ダイレクトにより、予測方向０の時間ダイレクトベクトルＴＭＶＬ０および予測方向１の時間ダイレクトベクトルＴＭＶＬ１を導出し（Ｓ３８）、予測方向０、１の予測動きベクトルの候補に追加する（Ｓ３５）。
【００８０】
一方、ｃｏ−ｌｏｃａｔｅｄブロックが前方参照動きベクトル（ｍｖＬ０）を有していないと判断された場合（Ｓ３７でＮｏ）、時間ダイレクトベクトル算出部１１４は、ｃｏ−ｌｏｃａｔｅｄブロックの後方参照動きベクトル（ｍｖＬ１）を用いて、時間ダイレクトにより、予測方向０の時間ダイレクトベクトルＴＭＶＬ０および予測方向１の時間ダイレクトベクトルＴＭＶＬ１を導出し（Ｓ３９）、予測方向０、１の予測動きベクトルの候補に追加する（Ｓ３５）。
【００８１】
また、ｃｏ−ｌｏｃａｔｅｄブロックが後方参照ブロックではない、すなわち、前方参照ブロックであると判断された場合（Ｓ３６でＮｏ）、時間ダイレクトベクトル算出部１１４は、ｃｏ−ｌｏｃａｔｅｄブロックが後方参照動きベクトル（ｍｖＬ１）を有しているか否かを判断する（Ｓ４０）。
【００８２】
そして、ｃｏ−ｌｏｃａｔｅｄブロックが後方参照動きベクトル（ｍｖＬ１）を有していると判断された場合（Ｓ４０でＹｅｓ）、時間ダイレクトベクトル算出部１１４は、後方参照動きベクトル（ｍｖＬ１）を用いて、時間ダイレクトにより、予測方向０の時間ダイレクトベクトルＴＭＶＬ０および予測方向１の時間ダイレクトベクトルＴＭＶＬ１を導出し（Ｓ４１）、予測方向０、１の予測動きベクトルの候補に追加する（Ｓ３５）。
【００８３】
一方、ｃｏ−ｌｏｃａｔｅｄブロックが後方参照動きベクトル（ｍｖＬ１）を有していないと判断された場合（Ｓ４０でＮｏ）、時間ダイレクトベクトル算出部１１４は、ｃｏ−ｌｏｃａｔｅｄブロックの前方参照動きベクトル（ｍｖＬ０）を用いて、時間ダイレクトにより、予測方向０の時間ダイレクトベクトルＴＭＶＬ０および予測方向１の時間ダイレクトベクトルＴＭＶＬ１を導出し（Ｓ４２）、予測方向０、１の予測動きベクトルの候補に追加する（Ｓ３５）。
【００８４】
さらに、ｃｏ−ｌｏｃａｔｅｄブロックが参照動きベクトル（ｍｖＬ０，ｍｖＬ１）を有していないと判断された場合（Ｓ３１でＮｏ）、時間ダイレクトベクトル算出部１１４は、時間ダイレクトにより、予測動きベクトル候補を導出することは行わない（Ｓ４３）。
【００８５】
次に、時間ダイレクトにより、動きベクトルを導出する方法について、詳細に説明する。
【００８６】
図７Ａは、ｃｏ−ｌｏｃａｔｅｄブロックが前方２度参照の場合、すなわち、前方参照動きベクトルを２つ（ｍｖＬ０，ｍｖＬ１）有している場合の時間ダイレクトベクトルの算出方法の例を示す図である。図７Ａの場合、時間ダイレクトベクトル算出部１１４は、それぞれの動きベクトルを用いて、時間ダイレクトにより、予測方向０の時間ダイレクトベクトルＴＭＶＬ０および予測方向１の時間ダイレクトベクトルＴＭＶＬ１を導出する。具体的には、時間ダイレクトベクトル算出部１１４は、以下の式４及び式５により、予測方向０の時間ダイレクトベクトルＴＭＶＬ０および予測方向１の時間ダイレクトベクトルＴＭＶＬ１を導出する。
【００８７】
ＴＭＶＬ０＝ｍｖＬ０×（Ｂ８−Ｂ４）／（Ｂ４−Ｂ２）    ・・（式４）
ＴＭＶＬ１＝ｍｖＬ１×（Ｂ８−Ｂ４）／（Ｂ４−Ｂ０）    ・・（式５）
【００８８】
ここで、（Ｂ４−Ｂ２）は、ピクチャＢ４とピクチャＢ２との表示時間における時間差情報を示す。（Ｂ４−Ｂ０）は、ピクチャＢ４とピクチャＢ０との表示時間における時間差情報を示す。（Ｂ８−Ｂ４）は、ピクチャＢ８とピクチャＢ４との表示時間における時間差情報を示す。
【００８９】
図７Ｂは、ｃｏ−ｌｏｃａｔｅｄブロックが後方２度参照の場合、すなわち、後方参照動きベクトルを２つ（ｍｖＬ０，ＭＶＬ１）有している場合の時間ダイレクトベクトルの算出方法の例を示す図である。図７Ｂの場合、時間ダイレクトベクトル算出部１１４は、それぞれの動きベクトルを用いて、時間ダイレクトにより、予測方向０の時間ダイレクトベクトルＴＭＶＬ０および予測方向１の時間ダイレクトベクトルＴＭＶＬ１を導出する。具体的には、時間ダイレクトベクトル算出部１１４は、以下の式６及び式７により、予測方向０の時間ダイレクトベクトルＴＭＶＬ０および予測方向１の時間ダイレクトベクトルＴＭＶＬ１を導出する。
【００９０】
ＴＭＶＬ０＝ｍｖＬ０×（Ｂ２−Ｂ０）／（Ｂ４−Ｂ２）    ・・（式６）
ＴＭＶＬ１＝ｍｖＬ１×（Ｂ２−Ｂ０）／（Ｂ８−Ｂ２）    ・・（式７）
【００９１】
ここで、（Ｂ４−Ｂ２）は、ピクチャＢ４とピクチャＢ２との表示時間における時間差情報を示す。（Ｂ８−Ｂ２）は、ピクチャＢ８とピクチャＢ２との表示時間における時間差情報を示す。（Ｂ２−Ｂ０）は、ピクチャＢ２とピクチャＢ０との表示時間における時間差情報を示す。
【００９２】
図８Ａは、ｃｏ−ｌｏｃａｔｅｄブロックが後方参照ブロックであり、且つ前方参照動きベクトルと後方参照動きベクトルとの両方を有する場合の時間ダイレクトベクトルの算出方法の例を示す図である。図８Ａの場合、時間ダイレクトベクトル算出部１１４は、前方参照動きベクトルを用いて、時間ダイレクトにより、予測方向０の時間ダイレクトベクトルＴＭＶＬ０および予測方向１の時間ダイレクトベクトルＴＭＶＬ１を導出する。具体的には、時間ダイレクトベクトル算出部１１４は、前方参照動きベクトルを用いて、以下の式８及び式９により、予測方向０の時間ダイレクトベクトルＴＭＶＬ０および予測方向１の時間ダイレクトベクトルＴＭＶＬ１を導出する。
【００９３】
ＴＭＶＬ０＝ｍｖＬ０×（Ｂ２−Ｂ０）／（Ｂ４−Ｂ０）    ・・（式８）
ＴＭＶＬ１＝ｍｖＬ０×（Ｂ２−Ｂ４）／（Ｂ４−Ｂ０）    ・・（式９）
【００９４】
ここで、（Ｂ２−Ｂ０）は、ピクチャＢ２とピクチャＢ０との表示時間における時間差情報を示す。（Ｂ２−Ｂ４）は、ピクチャＢ２とピクチャＢ４との表示時間における時間差情報を示す。（Ｂ４−Ｂ０）は、ピクチャＢ４とピクチャＢ０との表示時間における時間差情報を示す。
【００９５】
図８Ｂは、ｃｏ−ｌｏｃａｔｅｄブロックが後方参照ブロックであり、且つ後方参照動きベクトルのみ有する場合の時間ダイレクトベクトルの算出方法の例を示す図である。図８Ｂの場合、時間ダイレクトベクトル算出部１１４は、後方参照動きベクトルを用いて、時間ダイレクトにより、予測方向０の時間ダイレクトベクトルＴＭＶＬ０および予測方向１の時間ダイレクトベクトルＴＭＶＬ１を導出する。具体的には、時間ダイレクトベクトル算出部１１４は、後方参照動きベクトルを用いて、以下の式１０及び式１１により、予測方向０の時間ダイレクトベクトルＴＭＶＬ０および予測方向１の時間ダイレクトベクトルＴＭＶＬ１を導出する。
【００９６】
ＴＭＶＬ０＝ｍｖＬ１×（Ｂ２−Ｂ０）／（Ｂ４−Ｂ８）    ・・（式１０）
ＴＭＶＬ１＝ｍｖＬ１×（Ｂ２−Ｂ４）／（Ｂ４−Ｂ８）    ・・（式１１）
【００９７】
ここで、（Ｂ２−Ｂ０）は、ピクチャＢ２とピクチャＢ０との表示時間における時間差情報を示す。（Ｂ２−Ｂ４）は、ピクチャＢ２とピクチャＢ４との表示時間における時間差情報を示す。（Ｂ４−Ｂ８）は、ピクチャＢ４とピクチャＢ８との表示時間における時間差情報を示す。
【００９８】
図９Ａは、ｃｏ−ｌｏｃａｔｅｄブロックが前方参照ブロックであり、且つ前方参照動きベクトルと後方参照動きベクトルとの両方を有する場合の時間ダイレクトベクトルの算出方法の例を示す図である。図９Ａの場合、時間ダイレクトベクトル算出部１１４は、後方参照動きベクトルを用いて、時間ダイレクトにより、予測方向０の時間ダイレクトベクトルＴＭＶＬ０および予測方向１の時間ダイレクトベクトルＴＭＶＬ１を導出する。具体的には、時間ダイレクトベクトル算出部１１４は、後方参照動きベクトルを用いて、以下の式１２及び式１３により、予測動きベクトル候補を導出する。
【００９９】
ＴＭＶＬ０＝ｍｖＬ１×（Ｂ６−Ｂ８）／（Ｂ４−Ｂ８）    ・・（式１２）
ＴＭＶＬ１＝ｍｖＬ１×（Ｂ６−Ｂ４）／（Ｂ４−Ｂ８）    ・・（式１３）
【０１００】
ここで、（Ｂ６−Ｂ８）は、ピクチャＢ６とピクチャＢ８との表示時間における時間差情報を示す。（Ｂ６−Ｂ４）は、ピクチャＢ６とピクチャＢ４との表示時間における時間差情報を示す。（Ｂ４−Ｂ８）は、ピクチャＢ４とピクチャＢ８との表示時間における時間差情報を示す。
【０１０１】
図９Ｂは、ｃｏ−ｌｏｃａｔｅｄブロックが前方参照ブロックであり、且つ前方参照動きベクトルのみ有する場合の時間ダイレクトベクトルの算出方法の例を示す図である。図９Ｂの場合、時間ダイレクトベクトル算出部１１４は、前方参照動きベクトルを用いて、時間ダイレクトにより、予測方向０の時間ダイレクトベクトルＴＭＶＬ０および予測方向１の時間ダイレクトベクトルＴＭＶＬ１を導出する。具体的には、時間ダイレクトベクトル算出部１１４は、後方参照動きベクトルを用いて、以下の式１４及び式１５により、予測動きベクトル候補を導出する。
【０１０２】
ＴＭＶＬ０＝ｍｖＬ０×（Ｂ６−Ｂ８）／（Ｂ４−Ｂ０）    ・・（式１４）
ＴＭＶＬ１＝ｍｖＬ０×（Ｂ６−Ｂ４）／（Ｂ４−Ｂ０）    ・・（式１５）
【０１０３】
ここで、（Ｂ６−Ｂ８）は、ピクチャＢ６とピクチャＢ８との表示時間における時間差情報を示す。（Ｂ６−Ｂ４）は、ピクチャＢ６とピクチャＢ４との表示時間における時間差情報を示す。（Ｂ４−Ｂ０）は、ピクチャＢ４とピクチャＢ０との表示時間における時間差情報を示す。
【０１０４】
このように、本発明の実施の形態１では、動きベクトルを符号化する際に、複数の予測動きベクトルの候補のうちから、最も誤差値の小さい予測動きベクトルを用いることにより、符号化効率を向上させることができる。例えば、動き検出による動きベクトルと、選択された予測動きベクトルとの差分値を誤差値とする。
【０１０５】
また、実施の形態１では、ｃｏ−ｌｏｃａｔｅｄブロックの位置、及び、ｃｏ−ｌｏｃａｔｅｄブロックの有する参照動きベクトルの数に応じて、時間ダイレクトの際に用いるｃｏ−ｌｏｃａｔｅｄブロックの参照動きベクトルを選択する。これにより、精度の高い予測動きベクトルの候補に絞ることができ、符号化及び復号の際における処理負荷を軽減することが可能となる。
【０１０６】
具体的には、ｃｏ−ｌｏｃａｔｅｄブロックが、前方２度参照又は後方２度参照している場合には、符号化対象ブロックの動きベクトルとｃｏ−ｌｏｃａｔｅｄブロックの動きベクトルとは、同一の予測方向の方が近似する可能性が高い。このため、ｃｏ−ｌｏｃａｔｅｄブロックの同一の予測方向の動きベクトルから各予測方向の時間ダイレクトベクトルを算出することにより、符号化効率を向上させることができる。より具体的には、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出する。
【０１０７】
一方、ｃｏ−ｌｏｃａｔｅｄブロックが前方参照動きベクトルと後方参照動きベクトルとの両方を有している場合には、ｃｏ−ｌｏｃａｔｅｄブロックの位置に応じて、予測方向０の時間ダイレクトベクトルＴＭＶＬ０および予測方向１の時間ダイレクトベクトルＴＭＶＬ１の算出に用いる動きベクトルを選択する。
【０１０８】
例えば、ｃｏ−ｌｏｃａｔｅｄブロックが後方参照ブロックである場合には、前方参照動きベクトルを用いる。具体的には、前方参照動きベクトルは、ｃｏ−ｌｏｃａｔｅｄブロックを含むピクチャから、符号化対象ブロックを含む符号化対象ピクチャ方向への動きベクトルであり、後方参照動きベクトルよりも予測誤差が小さくなる可能性が高いためである。一方、ｃｏ−ｌｏｃａｔｅｄブロックが前方参照ブロックである場合には、後方参照動きベクトルを用いる。具体的には、後方参照動きベクトルは、ｃｏ−ｌｏｃａｔｅｄブロックを含むピクチャから、符号化対象ブロックを含む符号化対象ピクチャ方向への動きベクトルであり、前方参照動きベクトルよりも予測誤差が小さくなる可能性が高いためである。
【０１０９】
なお、本実施の形態１では、ｃｏ−ｌｏｃａｔｅｄブロックが前方２度参照、または、後方２度参照しているか否かを判断しているが、更に、ｃｏ−ｌｏｃａｔｅｄブロックの位置も同時に判断してもよい。具体的には、図６のステップＳ３２において、ｃｏ−ｌｏｃａｔｅｄブロックが前方参照ブロックである場合に前方を２度参照しているか、または、ｃｏ−ｌｏｃａｔｅｄブロックが後方参照ブロックである場合に後方を２度参照しているかを判断する。
【０１１０】
ｃｏ−ｌｏｃａｔｅｄブロックが後方参照ブロックである場合、後方参照動きベクトルは、ｃｏ−ｌｏｃａｔｅｄブロックを含むピクチャから、符号化対象ブロックを含むピクチャとは反対側に位置するピクチャの方向に延びる動きベクトルであるため、予測精度が低くなる可能性がある。このような場合に、時間ダイレクトベクトル算出部１１４は、予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出することに。これにより、予測精度を高めつつ、処理量を抑制することが可能になる。
【０１１１】
また、図６のステップＳ４３において、ｃｏ−ｌｏｃａｔｅｄブロックが参照動きベクトルを有していない場合には、時間ダイレクトベクトルを算出しないとしている。しかしながら、他のブロックをｃｏ−ｌｏｃａｔｅｄブロックとすることにより、時間ダイレクトベクトルを算出することが可能である。
【０１１２】
例えば、ｃｏ−ｌｏｃａｔｅｄブロックが後方参照ブロックであり、参照動きベクトルを有していない場合には、前方参照ブロックをｃｏ−ｌｏｃａｔｅｄブロックとすることが考えられる。この場合、前方参照ブロックの参照動きベクトルのうち、後方参照動きベクトルを用いることにより、予測精度を向上させることが可能である。また、前方参照ブロックが、後方参照動きベクトルを有していない場合には、前方参照動きベクトルを用いることにより、時間ダイレクトベクトルを導出することが可能となる。
【０１１３】
一方、ｃｏ−ｌｏｃａｔｅｄブロックが前方参照ブロックであり、参照動きベクトルを有していない場合には、後方参照ブロックをｃｏ−ｌｏｃａｔｅｄブロックとすることが考えられる。この場合、後方参照ブロックの参照動きベクトルのうち、前方参照動きベクトルを用いることにより、予測精度を向上させることが可能である。また、後方参照ブロックが、前方参照動きベクトルを有していない場合には、後方参照動きベクトルを用いることにより、時間ダイレクトベクトルを導出することが可能となる。
【０１１４】
例えば、ｃｏ−ｌｏｃａｔｅｄブロックが、符号化対象ピクチャの参照ピクチャリストＬ０のインデックス０のピクチャ内のブロックを用いている場合に、参照ピクチャリストＬ０のインデックス０で特定されるｃｏ−ｌｏｃａｔｅｄブロックが参照動きベクトルを有さない場合には、参照ピクチャリストＬ１のインデックス０で特定されるｃｏ−ｌｏｃａｔｅｄブロックの参照動きベクトルを用いることが考えられる。
【０１１５】
また、本実施の形態１では、動き検出により導出された動きベクトルを符号化する際に用いる予測動きベクトルの候補の一つとして、時間ダイレクトベクトルの算出方法を説明したが、必ずしもこれに限らない。例えば、Ｈ．２６４で用いられる、ＢピクチャやＰピクチャにおける符号化対象ブロックのインター予測の符号化モードとして、画像データの差分値のみ符号化を行い、動きベクトルは周辺ブロック等から予測するダイレクトモードや、画像データの差分値も動きベクトルも符号化せず、周辺ブロック等から予測した動きベクトルの示す位置の予測画像をそのまま復号画像とするスキップモードが存在する。このダイレクトモードやスキップモードでも、同様の方法で算出した時間ダイレクトベクトルを、予測動きベクトルの一つとして適用することができる。
【０１１６】
また、ＢピクチャやＰピクチャにおける各符号化対象ブロックのインター予測モードとして、符号化対象ブロックの隣接ブロックやｃｏ−ｌｏｃａｔｅｄブロックから動きベクトルや参照ピクチャインデックスをコピーして、符号化対象ブロックの符号化を行うマージモードが存在する。マージモードでは、コピーに用いた隣接ブロックのインデックス等をビットストリームに付随させることによって、動きベクトルや参照ピクチャインデックスを選択することができる。このようなマージモードにおいても、同様の方法で算出した時間ダイレクトベクトルを、ｃｏ−ｌｏｃａｔｅｄブロックの予測動きベクトルとして適用することができる。
【０１１７】
また、本実施の形態１では、ｃｏ−ｌｏｃａｔｅｄ参照方向フラグを用いて、前方参照ブロックまたは後方参照ブロックのどちらかをｃｏ−ｌｏｃａｔｅｄブロックとして選択し、時間ダイレクトベクトルを求めるようにしたが、必ずしもこれに限らない。例えば、前方参照ブロックをｃｏ−ｌｏｃａｔｅｄブロック１とし、後方参照ブロックをｃｏ−ｌｏｃａｔｅｄブロック２とする。そして、ｃｏ−ｌｏｃａｔｅｄブロック１とｃｏ−ｌｏｃａｔｅｄブロック２との保持する参照動きベクトルの方向や数に応じて、時間ダイレクトベクトルを算出し、予測動きベクトルの候補に追加しても構わない。このように、前方参照ブロックおよび後方参照ブロックのｃｏ−ｌｏｃａｔｅｄブロックを両方とも用いることによって、時間ダイレクトベクトルの精度を向上でき、符号化効率を向上させることができる。
【０１１８】
また、本実施の形態１では、ｃｏ−ｌｏｃａｔｅｄブロックが前方２度参照または後方２度参照を行う場合に、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出する。そして、各予測方向の予測動きベクトルの候補にＴＭＶＬ０、ＴＭＶＬ１それぞれ追加するようにしたが、必ずしもこれに限らない。例えば、算出したＴＭＶＬ０およびＴＭＶＬ１を、どちらとも各予測方向の予測動きベクトルの候補に加えるようにしても構わない。これにより、予測動きベクトルの候補の精度が向上し、符号化効率を向上させることができる。
【０１１９】
（実施の形態２）
本実施の形態２は、ステップＳ５２が、実施の形態１のステップＳ３２と異なる。以下、実施の形態１と異なる点を中心に説明する。
【０１２０】
図１０のステップＳ５２は、符号化済みピクチャの参照リストＬ０及び参照リストＬ１における参照ピクチャに対する参照ピクチャインデックスの割り当て方が同じであるかを判断している。一般に、参照リストＬ１は、表示時間順で符号化対象ピクチャより後方に位置するピクチャに対し、参照ピクチャインデックスを割り振る。一方、参照リストＬ０は、表示時間順で符号化対象ピクチャより前方に位置するピクチャに対し、参照ピクチャインデックスを割り振る。従って、符号化済みピクチャの参照リストＬ１及び参照リストＬ０における参照ピクチャに対する参照ピクチャインデックスの割り振り方が同じ場合には、符号化対象ピクチャよりも表示順で前方または後方のいずれか一方に参照方向が制限される。
【０１２１】
より具体的には、符号化済みピクチャの参照リストＬ０及び参照リストＬ１における参照ピクチャに対する参照ピクチャインデックスの割り当て方が同じであると判断された場合（Ｓ５２でＹｅｓ）、時間ダイレクトベクトル算出部１１４は、ｃｏ−ｌｏｃａｔｅｄブロックの参照動きベクトルｍｖＬ０、ｍｖＬ１を用いて、時間ダイレクトにより、予測方向０の時間ダイレクトベクトルＴＭＶＬ０および予測方向１の時間ダイレクトベクトルＴＭＶＬ１を導出する（Ｓ５３、Ｓ５４）。
【０１２２】
符号化対象ブロックの動きベクトルとｃｏ−ｌｏｃａｔｅｄブロックの動きベクトルとは、同一の予測方向の方が近似する可能性が高い。このため、ｃｏ−ｌｏｃａｔｅｄブロックの同一の予測方向の動きベクトルから各予測方向の時間ダイレクトベクトルを算出することにより、符号化効率を向上させることができる。より具体的には、時間ダイレクトベクトル算出部１１４は、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出する。
【０１２３】
一方、ｃｏ−ｌｏｃａｔｅｄブロックが、参照動きベクトルｍｖＬ０、ｍｖＬ１のいずれか一方しか有していない場合（Ｓ５２でＮｏ）、時間ダイレクトベクトル算出部１１４は、参照動きベクトルｍｖＬ０、ｍｖＬ１のいずれか一方のみを用いて、時間ダイレクトにより、予測方向０の時間ダイレクトベクトルＴＭＶＬ０および予測方向１の時間ダイレクトベクトルＴＭＶＬ１を導出する（Ｓ５６〜Ｓ６２）。ステップＳ５６以降の処理は、実施の形態１のステップＳ３６〜Ｓ４２と同じであるため説明を省略する。
【０１２４】
このように、本発明の実施の形態２は、参照リストに基づいて判断を行うことにより、符号化及び復号の際の処理量を軽減している。参照リストは、ピクチャ毎に有していることから、ピクチャ単位で判断すればよい。すなわち、ブロック単位で判断する必要がなくなるため、処理量を軽減することが可能となる。
【０１２５】
なお、本実施の形態２では、参照リストＬ０及び参照リストＬ１における参照ピクチャに対する参照ピクチャインデックスの割り当て方が同じ場合に、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出するようにしたが、必ずしもこれに限らない。
【０１２６】
例えば、ｃｏ−ｌｏｃａｔｅｄブロックが含まれる参照ピクチャにおいて、その参照リストＬ０と参照リストＬ１における参照ピクチャに対する参照ピクチャインデックスの割り当て方が同じ場合に、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出するようにしても構わない。
【０１２７】
さらに他の例として、符号化済みピクチャの参照リストＬ０、Ｌ１に保持されている全ての参照ピクチャが、表示順で符号化対象ピクチャよりも前方に位置する場合、又は表示順で符号化対象ピクチャよりも後方に位置する場合に、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出するようにしても構わない。
【０１２８】
（実施の形態３）
次に、図１１及び図１２を参照して、実施の形態３に係る動画像符号化方法及び動画像復号装置を説明する。なお、実施の形態１との共通点の詳しい説明は省略し、相違点を中心に説明する。
【０１２９】
図１１は、本発明の実施の形態２に係る動画像復号装置を示すブロック図である。
【０１３０】
本実施の形態３では、表示時間順で復号対象ピクチャより前方に位置するピクチャに含まれるブロックを、前方参照ブロックと呼ぶ。また、表示時間順で復号対象ピクチャより後方に位置するピクチャに含まれるブロックを、後方参照ブロックと呼ぶ。
【０１３１】
動画像復号装置２００は、図１１に示すように、可変長復号部２０１と、逆量子化部２０２と、逆直交変換部２０３と、加算部２０４と、ブロックメモリ２０５と、フレームメモリ２０６と、イントラ予測部２０７と、インター予測部２０８と、スイッチ２０９と、インター予測制御部２１０、時間ダイレクトベクトル算出部２１１とを備えている。この動画像復号装置２００は、例えば、実施の形態１に係る動画像符号化装置１００から出力されるビットストリームを復号する。
【０１３２】
可変長復号部２０１は、入力されたビットストリームを可変長復号し、量子化係数を逆量子化部２０２に出力し、ピクチャタイプ情報をスイッチ２０９及びインター予測制御部２１０に出力し、予測動きベクトルインデックスをインター予測制御部２１０に出力し、ｃｏ−ｌｏｃａｔｅｄ参照方向フラグを時間ダイレクトベクトル算出部２１１に出力する。
【０１３３】
逆量子化部２０２は、可変長復号部２０１から取得した量子化係数を逆量子化して変換係数を復元し、逆直交変換部２０３に出力する。逆直交変換部２０３は、逆量子化部２０２から取得した復元された変換係数を周波数領域から画像領域に変換して残差ブロックを復元し、加算器２０４に出力する。
【０１３４】
加算部２０４は、逆直交変換部２０３から取得した復元された残差ブロックと、スイッチ２０９から取得した予測ブロックとを加算して復号ブロックを復元する。そして、加算部２０４は、この復元された復号ブロックを含む復号画像列を装置外部に出力すると共に、ブロックメモリ２０５及びフレームメモリ２０６に保存する。ブロックメモリ２０５は、加算部２０４から取得した復号画像列を、ブロック単位で保存する。フレームメモリ２０６は、加算部２０４から取得した復号画像列を、フレーム単位で保存する。
【０１３５】
イントラ予測部２０７は、ブロックメモリ２０５に保存されているブロック単位の復号画像列を用いてイントラ予測することにより、復号対象ブロックの予測ブロックを生成し、スイッチ２０９に出力する。インター予測部２０８は、フレームメモリ２０６に保存されているフレーム単位の復号画像列を用いてインター予測することにより、復号対象ブロックの予測ブロックを生成し、スイッチに出力する。スイッチ２０９は、イントラ予測部２０７で生成された予測ブロック、又はインター予測部２０８で生成された予測ブロックを、加算部２０４に出力する。
【０１３６】
時間ダイレクトベクトル算出部２１１は、可変長復号部２０１から取得したｃｏ−ｌｏｃａｔｅｄ参照方向フラグを用いて、時間ダイレクトにより、予測動きベクトルの候補を導出する。具体的には、ｃｏ−ｌｏｃａｔｅｄ参照方向フラグで特定されるｃｏ−ｌｏｃａｔｅｄブロックが、２つの前方参照動きベクトル、または、２つの後方参照の動きベクトルを有している場合、時間ダイレクトベクトル算出部２１１は、ｃｏ−ｌｏｃａｔｅｄブロックの２つの動きベクトルを用いて、時間ダイレクトにより、予測方向０の時間ダイレクトベクトルＴＭＶＬ０および予測方向１の時間ダイレクトベクトルＴＭＶＬ１を導出する。また、時間ダイレクトベクトル算出部２１１は、各予測方向の時間ダイレクトベクトルに、予測動きベクトルインデックスの値を割り振る。
【０１３７】
一方、ｃｏ−ｌｏｃａｔｅｄ参照方向フラグで特定されるｃｏ−ｌｏｃａｔｅｄブロックが、２つの前方参照動きベクトル、または、２つの後方参照動きベクトルを有していない場合、時間ダイレクトベクトル算出部２１１は、ｃｏ−ｌｏｃａｔｅｄブロックが前方参照ブロックであるか、後方参照ブロックであるかにより、時間ダイレクトに用いるｃｏ−ｌｏｃａｔｅｄブロックの動きベクトルを決定する。
【０１３８】
具体的には、ｃｏ−ｌｏｃａｔｅｄブロックが後方参照ブロックである場合、時間ダイレクトベクトル算出部２１１は、ｃｏ−ｌｏｃａｔｅｄブロックの前方参照動きベクトルを用いて、時間ダイレクトにより予測方向０の時間ダイレクトベクトルＴＭＶＬ０および予測方向１の時間ダイレクトベクトルＴＭＶＬ１を導出する。但し、ｃｏ−ｌｏｃａｔｅｄブロックが前方参照動きベクトルを有していない場合、時間ダイレクトベクトル算出部２１１は、ｃｏ−ｌｏｃａｔｅｄブロックの後方参照動きベクトルを用いて、時間ダイレクトにより予測方向０の時間ダイレクトベクトルＴＭＶＬ０および予測方向１の時間ダイレクトベクトルＴＭＶＬ１を導出する。
【０１３９】
一方、ｃｏ−ｌｏｃａｔｅｄブロックが前方参照ブロックである場合、時間ダイレクトベクトル算出部２１１は、ｃｏ−ｌｏｃａｔｅｄブロックの後方参照動きベクトルを用いて、時間ダイレクトにより予測方向０の時間ダイレクトベクトルＴＭＶＬ０および予測方向１の時間ダイレクトベクトルＴＭＶＬ１を導出する。但し、ｃｏ−ｌｏｃａｔｅｄブロックが後方参照動きベクトルを有していない場合、時間ダイレクトベクトル算出部２１１は、ｃｏ−ｌｏｃａｔｅｄブロックの前方参照動きベクトルを用いて、時間ダイレクトにより予測方向０の時間ダイレクトベクトルＴＭＶＬ０および予測方向１の時間ダイレクトベクトルＴＭＶＬ１を導出する。
【０１４０】
インター予測制御部２０８は、複数の予測動きベクトルの候補のうちから、可変長復号部２０１から取得した予測動きベクトルインデックスに対応する予測動きベクトルを特定する。そして、インター予測制御部２１０は、特定した予測動きベクトルに、動きベクトルと予測動きベクトルとの誤差情報を加算することにより、インター予測の際に用いる動きベクトルを算出する。
【０１４１】
図１２は、本発明の実施の形態３に係る動画像復号方法の処理フローの概要である。
【０１４２】
まず、可変長復号部２０１は、ピクチャ単位で、ｃｏ−ｌｏｃａｔｅｄ参照方向フラグを可変長復号する（Ｓ７１）。そして、可変長復号部２０１は、復号されたｃｏ−ｌｏｃａｔｅｄ参照方向フラグを、時間ダイレクトベクトル算出部２１１に出力する。
【０１４３】
次に、時間ダイレクトベクトル算出部２１１は、復号されたｃｏ−ｌｏｃａｔｅｄ参照方向フラグに基づいて、前方参照ブロックをｃｏ−ｌｏｃａｔｅｄブロックとするか、後方参照ブロックをｃｏ−ｌｏｃａｔｅｄブロックとするか決定する。また、時間ダイレクトベクトル算出部２１１は、ｃｏ−ｌｏｃａｔｅｄブロックの参照動きベクトルを用いて、時間ダイレクトにより、時間ダイレクトベクトルを導出する。そして、時間ダイレクトベクトル導出部２１１は、導出した時間ダイレクトベクトルを予測動きベクトルの候補としてインター予測制御部２１０に出力する（Ｓ７２）。
【０１４４】
具体的には、ｃｏ−ｌｏｃａｔｅｄブロックが、２つの前方参照動きベクトル、または、２つの後方参照動きベクトルを有している場合、時間ダイレクトベクトル算出部２１１は、ｃｏ−ｌｏｃａｔｅｄブロックの２つの動きベクトルを用いて、時間ダイレクトにより、予測方向０の時間ダイレクトベクトルＴＭＶＬ０および予測方向１の時間ダイレクトベクトルＴＭＶＬ１を導出する。また、時間ダイレクトベクトル算出部２１１は、各予測方向の時間ダイレクトベクトルに、予測動きベクトルインデックスの値を割り振る。予測動きベクトルインデックスの割り振り方は、実施の形態１に従う。
【０１４５】
一方、ｃｏ−ｌｏｃａｔｅｄブロックが、２つの前方参照動きベクトル、または、２つの後方参照動きベクトルを有していない場合、時間ダイレクトベクトル算出部２１１は、ｃｏ−ｌｏｃａｔｅｄブロックが前方参照ブロックであるか、後方参照ブロックであるかにより、時間ダイレクトに用いるｃｏ−ｌｏｃａｔｅｄブロックの動きベクトルを決定する。
【０１４６】
具体的には、ｃｏ−ｌｏｃａｔｅｄブロックが後方参照ブロックである場合、時間ダイレクトベクトル算出部２１１は、ｃｏ−ｌｏｃａｔｅｄブロックの前方参照動きベクトルを用いて、時間ダイレクトにより予測方向０の時間ダイレクトベクトルＴＭＶＬ０および予測方向１の時間ダイレクトベクトルＴＭＶＬ１を導出する。但し、ｃｏ−ｌｏｃａｔｅｄブロックが前方参照動きベクトルを有していない場合、時間ダイレクトベクトル算出部２１１は、後方参照動きベクトルを用いて、時間ダイレクトにより予測方向０の時間ダイレクトベクトルＴＭＶＬ０および予測方向１の時間ダイレクトベクトルＴＭＶＬ１を導出する。
【０１４７】
一方、ｃｏ−ｌｏｃａｔｅｄブロックが前方参照ブロックである場合、時間ダイレクトベクトル算出部２１１は、ｃｏ−ｌｏｃａｔｅｄブロックの後方参照動きベクトルを用いて、時間ダイレクトにより予測方向０の時間ダイレクトベクトルＴＭＶＬ０および予測方向１の時間ダイレクトベクトルＴＭＶＬ１を導出する。但し、ｃｏ−ｌｏｃａｔｅｄブロックが後方参照動きベクトルを有していない場合、時間ダイレクトベクトル算出部２１１は、前方参照動きベクトルを用いて、時間ダイレクトにより予測方向０の時間ダイレクトベクトルＴＭＶＬ０および予測方向１の時間ダイレクトベクトルＴＭＶＬ１を導出する。
【０１４８】
次に、インター予測制御部２１０は、複数の予測動きベクトルの候補のうちから、可変長復号部２０１から取得した予測動きベクトルインデックスに基づいて、インター予測の際に用いる動きベクトルを決定する。また、インター予測制御部は、決定した予測動きベクトルに誤差情報を加算し、動きベクトルを導出し、インター予測部２０８に出力する（Ｓ７３）。インター予測部２０８は、インター予測制御部２１０から取得した動きベクトルを用いて、インター予測により復号を行う。
【０１４９】
このように、本発明の実施の形態３によれば、復号対象ブロックに最適な動きベクトルを選択することができるため、高効率で圧縮したビットストリームを適切に復号することが可能になる。
【０１５０】
また、ｃｏ−ｌｏｃａｔｅｄブロックの位置、及び、ｃｏ−ｌｏｃａｔｅｄブロックの有する参照動きベクトルの数に応じて、時間ダイレクトの際に用いるｃｏ−ｌｏｃａｔｅｄブロックの参照動きベクトルを選択することにより、精度の高い予測動きベクトル候補に絞ることができ、処理負荷を軽減することが可能となる。
【０１５１】
具体的には、ｃｏ−ｌｏｃａｔｅｄブロックが、前方２度参照、又は、後方２度参照している場合には、復号対象ブロックの動きベクトルとｃｏ−ｌｏｃａｔｅｄブロックの動きベクトルとは、同一の予測方向の方が近似する可能性が高い。このため、ｃｏ−ｌｏｃａｔｅｄブロックの同一の予測方向の動きベクトルから各予測方向の時間ダイレクトベクトルを算出することにより、符号化効率を向上させることができる。より具体的には、時間ダイレクトベクトル算出部２１１は、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出する。
【０１５２】
一方、ｃｏ−ｌｏｃａｔｅｄブロックが、前方参照動きベクトルと後方参照動きベクトルとを有している場合には、ｃｏ−ｌｏｃａｔｅｄブロックの位置に応じて、予測方向０の時間ダイレクトベクトルＴＭＶＬ０および予測方向１の時間ダイレクトベクトルＴＭＶＬ１の算出に用いる動きベクトルを選択する。
【０１５３】
例えば、ｃｏ−ｌｏｃａｔｅｄブロックが後方参照ブロックである場合には、前方参照動きベクトルを用いる。前方参照動きベクトルは、ｃｏ−ｌｏｃａｔｅｄブロックを含むピクチャから、復号対象ブロックを含むピクチャ方向への動きベクトルであり、後方参照動きベクトルよりも予測誤差が小さくなる可能性が高いためである。一方、ｃｏ−ｌｏｃａｔｅｄブロックが前方参照ブロックである場合には、後方参照動きベクトルを用いる。後方参照動きベクトルは、ｃｏ−ｌｏｃａｔｅｄブロックを含むピクチャから、符号化対象ブロックを含む復号ピクチャ方向への動きベクトルであり、前方参照動きベクトルよりも予測誤差が小さくなる可能性が高いためである。
【０１５４】
また、ｃｏ−ｌｏｃａｔｅｄブロックが前方２度参照、または、後方２度参照しているか否かの判断に換えて、参照リストＬ０と参照リストＬ１とにおける参照ピクチャに対する参照ピクチャインデックスの割り当て方が同じであるかを判断してもよい。一般に、参照リストＬ１は、表示時間順で復号対象ピクチャより後方に位置するピクチャに対し、参照ピクチャインデックスを割り振る。一方、参照リストＬ０は、表示時間順で復号対象ピクチャより前方に位置するピクチャに対し、参照ピクチャインデックスを割り振る。
【０１５５】
従って、参照リストＬ１と参照リストＬ０とにおける参照ピクチャに対する参照ピクチャインデックスの割り振り方が同じ場合には、参照方向が、復号対象ピクチャよりも表示順で前方、または、後方のいずれか一方に制限される。このように、参照リストに基づいて判断を行うことにより、処理量を軽減することが可能である。参照リストは、ピクチャ毎に有していることから、ピクチャ単位で判断すればよく、ブロック単位で判断する必要がなくなるためである。
【０１５６】
さらに他の例として、復号済みピクチャの参照リストＬ０、Ｌ１に保持されている全ての参照ピクチャが、表示順で復号対象ピクチャよりも前方に位置する場合、又は表示順で復号対象ピクチャよりも後方に位置する場合に、ｃｏ−ｌｏｃａｔｅｄブロックの予測方向０の動きベクトルｍｖＬ０から、時間ダイレクトにより予測方向０の時間ダイレクトベクトルＴＭＶＬ０を算出し、予測方向１の動きベクトルｍｖＬ１から、時間ダイレクトにより予測方向１の時間ダイレクトベクトルＴＭＶＬ１を算出するようにしても構わない。
【０１５７】
また、ｃｏ−ｌｏｃａｔｅｄブロックが参照動きベクトルを有していない場合には、時間ダイレクトベクトルを算出しないとしているが、他のブロックをｃｏ−ｌｏｃａｔｅｄブロックとすることにより、時間ダイレクトベクトルを算出することが可能である。
【０１５８】
例えば、ｃｏ−ｌｏｃａｔｅｄブロックが後方参照ブロックであり、参照動きベクトルを有していない場合には、前方参照ブロックをｃｏ−ｌｏｃａｔｅｄブロックとすることが考えられる。この場合、前方参照ブロックの参照動きベクトルのうち、後方参照動きベクトルを用いることにより、予測精度を向上させることが可能である。但し、前方参照ブロックが、後方参照動きベクトルを有していない場合には、前方参照動きベクトルを用いることにより、時間ダイレクトベクトルを導出することが可能となる。
【０１５９】
一方、ｃｏ−ｌｏｃａｔｅｄブロックが前方参照ブロックであり、参照動きベクトルを有していない場合には、後方参照ブロックをｃｏ−ｌｏｃａｔｅｄブロックとすることが考えられる。この場合、後方参照ブロックの参照動きベクトルのうち、前方参照動きベクトルを用いることにより、予測精度を向上させることが可能である。但し、後方参照ブロックが、前方の参照動きベクトルを有していない場合には、後方参照動きベクトルを用いることにより、時間ダイレクトベクトルを導出することが可能となる。
【０１６０】
例えば、ｃｏ−ｌｏｃａｔｅｄブロックが、復号対象ピクチャの参照ピクチャリストＬ０のインデックス０のピクチャ内のブロックを用いている場合に、参照ピクチャリストＬ０のインデックス０で特定されるｃｏ−ｌｏｃａｔｅｄブロックが参照動きベクトルを有さない場合には、参照ピクチャリストＬ１のインデックス０で特定されるｃｏ−ｌｏｃａｔｅｄブロックの参照動きベクトルを用いることが考えられる。
【０１６１】
また、本実施の形態３では、動き検出により導出された動きベクトルを復号する際に用いる予測動きベクトルの候補の一つとして、時間ダイレクトベクトルの算出方法を説明したが、必ずしもこれに限らない。例えば、Ｈ．２６４で用いられる、ＢピクチャやＰピクチャにおける復号対象ブロックのインター予測の符号化モードとして、画像データの差分値のみ符号化を行い、動きベクトルは周辺ブロック等から予測するダイレクトモードや、画像データの差分値も動きベクトルも復号せず、周辺ブロック等から予測した動きベクトルの示す位置の予測画像をそのまま復号画像とするスキップモードが存在する。このダイレクトモードやスキップモードでも、同様の方法で算出した時間ダイレクトベクトルを、予測動きベクトルの候補の一つとして適用することができる。
【０１６２】
また、ＢピクチャやＰピクチャにおける各復号対象ブロックのインター予測モードとして、復号対象ブロックの隣接ブロックやｃｏ−ｌｏｃａｔｅｄブロックから動きベクトルや参照ピクチャインデックスをコピーして、復号対象ブロックの復号を行うマージモードが存在する。マージモードでは、コピーに用いた隣接ブロックのインデックス等をビットストリームに付随させることによって、動きベクトルや参照ピクチャインデックスを選択することができる。このようなマージモードにおいても、同様の方法で算出した時間ダイレクトベクトルを、ｃｏ−ｌｏｃａｔｅｄブロックの予測動きベクトルとして適用することができる。
【０１６３】
（実施の形態４）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０１６４】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０１６５】
図１５は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０１６６】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０１６７】
しかし、コンテンツ供給システムex１００は図１５のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０１６８】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０１６９】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の画像復号装置として機能する）。
【０１７０】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０１７１】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０１７２】
また、ストリーミングサーバex１０３は複数のサーバや複数のコンピュータであって、データを分散して処理したり記録したり配信するものであってもよい。
【０１７３】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０１７４】
なお、コンテンツ供給システムex１００の例に限らず、図１６に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の画像復号装置として機能する）。
【０１７５】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０１７６】
図１７は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０１７７】
また、テレビex３００は、音声データ、映像データそれぞれを復号化する、またはそれぞれの情報を符号化する音声信号処理部ex３０４、映像信号処理部ex３０５（本発明の画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０１７８】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０１７９】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０１８０】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０１８１】
一例として、光ディスクからデータの読み込みまたは書き込みをする場合の情報再生／記録部ex４００の構成を図１８に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０１８２】
以上では、光ヘッドex４０１はレーザスポットを照射するとして説明したが、近接場光を用いてより高密度な記録を行う構成であってもよい。
【０１８３】
図１９に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０１８４】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０１８５】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図１７に示す構成のうち、ＧＰＳ受信部を加えた構成が考えられ、同様なことがコンピュータex１１１や携帯電話ex１１４等でも考えられる。
【０１８６】
図２０（ａ）は、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０１８７】
さらに、携帯電話ex１１４の構成例について、図２０（ｂ）を用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０１８８】
電源回路部ex３６１は、ユーザの操作により終話及び電源キーがオン状態にされると、バッテリパックから各部に対して電力を供給することにより携帯電話ex１１４を動作可能な状態に起動する。
【０１８９】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０１９０】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０１９１】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０１９２】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０１９３】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０１９４】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０１９５】
このように、上記各実施の形態で示した動画像符号化方法あるいは動画像復号化方法を上述したいずれの機器・システムに用いることは可能であり、そうすることで、上記各実施の形態で説明した効果を得ることができる。
【０１９６】
また、本発明はかかる上記実施の形態に限定されるものではなく、本発明の範囲を逸脱することなく種々の変形または修正が可能である。
【０１９７】
（実施の形態５）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０１９８】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０１９９】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０２００】
図２１は、多重化データの構成を示す図である。図２１に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０２０１】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０２０２】
図２２は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０２０３】
図２３は、ＰＥＳパケット列に、ビデオストリームがどのように格納されるかをさらに詳しく示している。図２３における第１段目はビデオストリームのビデオフレーム列を示す。第２段目は、ＰＥＳパケット列を示す。図２３の矢印ｙｙ１，ｙｙ２，  ｙｙ３，  ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０２０４】
図２４は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図２４下段に示すようにソースパケットが並ぶこととなり、多重化データの先頭からインクリメントする番号はＳＰＮ（ソースパケットナンバー）と呼ばれる。
【０２０５】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０２０６】
図２５はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０２０７】
記録媒体などに記録する場合には、上記多重化データは、多重化データ情報ファイルと共に記録される。
【０２０８】
多重化データ情報ファイルは、図２６に示すように多重化データの管理情報であり、多重化データと１対１に対応し、多重化データ情報、ストリーム属性情報とエントリマップから構成される。
【０２０９】
多重化データ情報は図２６に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０２１０】
ストリーム属性情報は図２７に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０２１１】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０２１２】
また、本実施の形態における動画像復号化方法のステップを図２８に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０２１３】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０２１４】
（実施の形態６）
上記各実施の形態で示した動画像符号化方法および装置、動画像復号化方法および装置は、典型的には集積回路であるＬＳＩで実現される。一例として、図２９に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０２１５】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０２１６】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０２１７】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０２１８】
なお、ここでは、ＬＳＩとしたが、集積度の違いにより、ＩＣ、システムＬＳＩ、スーパーＬＳＩ、ウルトラＬＳＩと呼称されることもある。
【０２１９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２２０】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０２２１】
（実施の形態７）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０２２２】
この課題を解決するために、テレビex３００、ＬＳＩex５００などの動画像復号化装置は、映像データがどの規格に準拠するものであるかを識別し、規格に応じて駆動周波数を切替える構成とする。図３０は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０２２３】
より具体的には、駆動周波数切替え部ex８０３は、図２９のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図２９の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態５で記載した識別情報を利用することが考えられる。識別情報に関しては、実施の形態５で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図３２のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２２４】
図３１は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２２５】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２２６】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０２２７】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２２８】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２２９】
（実施の形態８）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２３０】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図３３（ａ）のex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明特有の他の処理内容については、専用の復号処理部ex９０１を用いるという構成が考えられる。特に、本発明は、逆量子化に特徴を有していることから、例えば、逆量子化については専用の復号処理部ex９０１を用い、それ以外のエントロピー符号化、デブロッキング・フィルタ、動き補償のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０２３１】
また、処理を一部共有化する他の例を図３３（ｂ）のex１０００に示す。この例では、本発明に特有の処理内容に対応した専用の復号処理部ex１００１と、他の従来規格に特有の処理内容に対応した専用の復号処理部ex１００２と、本発明の動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明、または、他の従来規格に特有の処理内容に特化したものではなく、他の汎用処理を実行できるものであってもよい。また、本実施の形態の構成を、ＬＳＩex５００で実装することも可能である。
【０２３２】
このように、本発明の動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２３３】
本発明は、動画像符号化装置及び動画像復号装置に有利に利用される。
【符号の説明】
【０２３４】
１００  動画像符号化装置
１０１  減算部
１０２  直交変換部
１０３  量子化部
１０４，２０２  逆量子化部
１０５，２０３  逆直交変換部
１０６，２０４  加算部
１０７，２０５  ブロックメモリ
１０８，２０６  フレームメモリ
１０９，２０７  イントラ予測部
１１０，２０８  インター予測部
１１１，２０９  スイッチ
１１２，２１０  インター予測制御部
１１３  ピクチャタイプ決定部
１１４，２１１  時間ダイレクトベクトル算出部
１１５  ｃｏ−ｌｏｃａｔｅｄ参照方向決定部
１１６  可変長符号化部
２００  動画像復号化装置
２０１  可変長復号部
【図１Ａ】
2012117728.tif 000006
【図１Ｂ】
2012117728.tif 000007
【図２】
2012117728.tif 000008
【図３Ａ】
2012117728.tif 000009
【図３Ｂ】
2012117728.tif 000010
【図３Ｃ】
2012117728.tif 000011
【図３Ｄ】
2012117728.tif 000012
【図３Ｅ】
2012117728.tif 000013
【図４】
2012117728.tif 000014
【図５】
2012117728.tif 000015
【図６】
2012117728.tif 000016
【図７Ａ】
2012117728.tif 000017
【図７Ｂ】
2012117728.tif 000018
【図８Ａ】
2012117728.tif 000019
【図８Ｂ】
2012117728.tif 000020
【図９Ａ】
2012117728.tif 000021
【図９Ｂ】
2012117728.tif 000022
【図１０】
2012117728.tif 000023
【図１１】
2012117728.tif 000024
【図１２】
2012117728.tif 000025
【図１３】
2012117728.tif 000026
【図１４】
2012117728.tif 000027
【図１５】
2012117728.tif 000028
【図１６】
2012117728.tif 000029
【図１７】
2012117728.tif 000030
【図１８】
2012117728.tif 000031
【図１９】
2012117728.tif 000032
【図２０】
2012117728.tif 000033
【図２１】
2012117728.tif 000034
【図２２】
2012117728.tif 000035
【図２３】
2012117728.tif 000036
【図２４】
2012117728.tif 000037
【図２５】
2012117728.tif 000038
【図２６】
2012117728.tif 000039
【図２７】
2012117728.tif 000040
【図２８】
2012117728.tif 000041
【図２９】
2012117728.tif 000042
【図３０】
2012117728.tif 000043
【図３１】
2012117728.tif 000044
【図３２】
2012117728.tif 000045
【図３３】
2012117728.tif 000046
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
符号化対象ピクチャを構成する符号化対象ブロックを、インター予測符号化する動画像符号化方法であって、
動きベクトルを用いて前記符号化対象ブロックを符号化する画像符号化ステップと、
複数の予測動きベクトルを生成する予測動きベクトル候補生成ステップと、
前記予測動きベクトル候補生成ステップで生成された複数の前記予測動きベクトルの１つを用いて、前記動きベクトルを符号化する動きベクトル符号化ステップとを含み、
符号化済みピクチャに含まれる前記符号化対象ブロックの対応ブロックが２つの参照動きベクトルを有する場合、
前記予測動きベクトル候補生成ステップでは、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
動画像符号化方法。
【請求項２】
前記予測動きベクトル候補生成ステップでは、前記対応ブロックが２つの参照動きベクトルを有し、且つ、前記符号化対象ピクチャの参照方向が、前記符号化対象ピクチャよりも表示順で前方、または、後方のいずれか一方に制限される場合に、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
請求項１に記載の動画像符号化方法。
【請求項３】
前記予測動きベクトル候補生成ステップでは、前記対応ブロックが２つの参照動きベクトルを有し、且つ、前記符号化済みピクチャの前記第１の参照ピクチャリスト、および、前記第２の参照ピクチャリストに保持されている全ての参照ピクチャが、表示順で前記符号化対象ピクチャよりも前方に位置する場合に、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
請求項１に記載の動画像符号化方法。
【請求項４】
前記予測動きベクトル候補生成ステップでは、前記対応ブロックが２つの参照動きベクトルを有し、且つ、前記２つの参照動きベクトルの参照方向が同一である場合に、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
請求項１に記載の動画像符号化方法。
【請求項５】
前記予測動きベクトル候補生成ステップでは、前記符号化済みピクチャが表示順で符号化対象ピクチャより前方に位置し、且つ前記２つの参照動きベクトルが両方とも前方参照である場合に、前記第１の参照動きベクトルを用いて前記第１の予測ベクトルを生成し、前記第２の参照動きベクトルを用いて前記第２の予測ベクトルを生成する
請求項１に記載の動画像符号化方法。
【請求項６】
前記予測動きベクトル候補生成ステップでは、前記符号化済みピクチャが表示順で符号化対象ピクチャより後方に位置し、且つ前記２つの参照動きベクトルが両方とも後方参照である場合に、前記第１の参照動きベクトルを用いて前記第１の予測ベクトルを生成し、前記第２の参照動きベクトルを用いて前記第２の予測ベクトルを生成する
請求項１に記載の動画像符号化方法。
【請求項７】
前記予測動きベクトル候補生成ステップでは、前記２つの参照動きベクトルの参照方向が異なる場合に、前記２つの参照動きベクトルのうち、前記符号化対象ピクチャの方向を参照する参照動きベクトルを用いて、前記第１及び第２の予測ベクトルを生成する
請求項１に記載の動画像符号化方法。
【請求項８】
前記予測動きベクトル候補生成ステップでは、前記符号化済みピクチャが表示順で符号化対象ピクチャより前方に位置する場合に、前記２つの参照動きベクトルのうちの後方参照の参照動きベクトルを用いて、前記第１及び第２の予測ベクトルを生成する
請求項７に記載の動画像符号化方法。
【請求項９】
前記予測動きベクトル候補生成ステップでは、前記符号化済みピクチャが表示順で符号化対象ピクチャより後方に位置する場合に、前記２つの参照動きベクトルのうちの前方参照の参照動きベクトルを用いて、前記第１及び第２の予測ベクトルを生成する
請求項７に記載の動画像符号化方法。
【請求項１０】
復号対象ピクチャを構成する復号対象ブロックを、インター予測復号する動画像復号方法であって、
複数の予測動きベクトルを生成する予測動きベクトル候補生成ステップと、
前記予測動きベクトル候補生成ステップで生成された複数の前記予測動きベクトルの１つを用いて、動きベクトルを復号する動きベクトル復号ステップと、
前記動きベクトル復号ステップで復号された前記動きベクトルを用いて、前記復号対象ブロックを復号する画像復号ステップとを含み、
復号済みピクチャに含まれる前記復号対象ブロックの対応ブロックが２つの参照動きベクトルを有する場合、
前記予測動きベクトル候補生成ステップでは、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
動画像復号方法。
【請求項１１】
前記予測動きベクトル候補生成ステップでは、前記対応ブロックが２つの参照動きベクトルを有し、且つ、前記復号対象ピクチャの参照方向が、前記復号対象ピクチャよりも表示順で前方、または、後方のいずれか一方に制限される場合に、前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号化対象ブロックの第２の参照ピクチャリストに対応する第２の予測ベクトルを生成する
請求項１０に記載の動画像復号方法。
【請求項１２】
前記予測動きベクトル候補生成ステップでは、前記対応ブロックが２つの参照動きベクトルを有し、且つ、前記復号済みピクチャの前記第１の参照ピクチャリスト、および、前記第２の参照ピクチャリストに保持されている全ての参照ピクチャが、表示順で前記復号対象ピクチャよりも前方に位置する場合に、前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
請求項１０に記載の動画像復号方法。
【請求項１３】
前記予測動きベクトル候補生成ステップでは、前記対応ブロックが２つの参照動きベクトルを有し、且つ、前記２つの参照動きベクトルの参照方向が同一である場合に、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
請求項１０に記載の動画像復号方法。
【請求項１４】
符号化対象ピクチャを構成する符号化対象ブロックを、インター予測符号化する動画像符号化装置であって、
動きベクトルを用いて前記符号化対象ブロックを符号化する画像符号化部と、
複数の予測動きベクトルを生成する予測動きベクトル候補生成部と、
前記予測動きベクトル候補生成部で生成された複数の前記予測動きベクトルの１つを用いて、前記動きベクトルを符号化する動きベクトル符号化部とを備え、
符号化済みピクチャに含まれる前記符号化対象ブロックの対応ブロックが２つの参照動きベクトルを有する場合、
前記予測動きベクトル候補生成部は、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する
動画像符号化装置。
【請求項１５】
復号対象ピクチャを構成する復号対象ブロックを、インター予測復号する動画像復号装置であって、
複数の予測動きベクトルを生成する予測動きベクトル候補生成部と、
前記予測動きベクトル候補生成部で生成された複数の前記予測動きベクトルの１つを用いて、動きベクトルを復号する動きベクトル復号部と、
前記動きベクトル復号部で復号された前記動きベクトルを用いて、前記復号対象ブロックを復号する画像復号部とを備え、
復号済みピクチャに含まれる前記復号対象ブロックの対応ブロックが２つの参照動きベクトルを有する場合、
前記予測動きベクトル候補生成部は、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
動画像復号装置。
【請求項１６】
符号化対象ピクチャを構成する符号化対象ブロックをインター予測符号化する動画像符号化部と、前記動画像符号化部で生成された復号対象ブロックをインター予測復号する動画像復号部とを備える動画像符号化復号装置であって、
前記動画像符号化部は、
動きベクトルを用いて前記符号化対象ブロックを符号化する画像符号化部と、
複数の予測動きベクトルを生成する第１の予測動きベクトル候補生成部と、
前記第１の予測動きベクトル候補生成部で生成された複数の前記予測動きベクトルの１つを用いて、前記動きベクトルを符号化する動きベクトル符号化部とを備え、
符号化済みピクチャに含まれる前記符号化対象ブロックの対応ブロックが２つの参照動きベクトルを有する場合、
前記第１の予測動きベクトル候補生成部は、
前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成し、
前記動画像復号部は、
複数の予測動きベクトルを生成する第２の予測動きベクトル候補生成部と、
前記第２の予測動きベクトル候補生成部で生成された複数の前記予測動きベクトルの１つを用いて、動きベクトルを復号する動きベクトル復号部と、
前記動きベクトル復号部で復号された前記動きベクトルを用いて、前記復号対象ブロックを復号する画像復号部とを備え、
復号済みピクチャに含まれる前記復号対象ブロックの対応ブロックが２つの参照動きベクトルを有する場合、
前記第２の予測動きベクトル候補生成部は、
前記２つの参照動きベクトルのうちの第１の参照ピクチャリストに対応する第１の参照動きベクトルを用いて、前記復号対象ブロックの第１の参照ピクチャリストに対応する第１の予測ベクトルを生成し、
前記２つの参照動きベクトルのうちの第２の参照ピクチャリストに対応する第２の参照動きベクトルを用いて、前記復号対象ブロックの第２の参照ピクチャリストに対応する第２の予測ベクトルを生成する
動画像符号化復号装置。
【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
符号化対象ピクチャに含まれる符号化対象ブロックを符号化する動画像符号化方法であって、
動きベクトルを用いて前記符号化対象ブロックを符号化する画像符号化ステップと、
符号化済みピクチャに含まれる符号化済みブロックの参照動きベクトルから複数の予測動きベクトルを生成する予測動きベクトル生成ステップと、
前記複数の予測動きベクトルを含む予測動きベクトル候補リストを生成するリスト生成ステップと、
前記予測動きベクトル候補リストから選択された１つ以上の前記予測動きベクトルを用いて、前記動きベクトルを符号化する動きベクトル符号化ステップとを含み、
前記予測動きベクトル生成ステップでは、
前記符号化済みブロックが２つの参照動きベクトルを有する場合に、
前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、
前記予測動きベクトル候補リストは、第１および第２の予測動きベクトル候補リストからなり、
前記リスト生成ステップでは、
前記第１の参照ピクチャリストに対応する前記第１の予測動きベクトル候補リストに前記第１の予測動きベクトルを追加し、
前記第２の参照ピクチャリストに対応する前記第２の予測動きベクトル候補リストに前記第２の予測動きベクトルを追加する
動画像符号化方法。
【請求項２】
前記予測動きベクトル生成ステップでは、
前記第１の参照ピクチャリスト、および、前記第２の参照ピクチャリストに保持されている全ての参照ピクチャが、表示順で前記符号化対象ピクチャよりも前方に位置する場合に、
前記第１の参照動きベクトルを用いて、前記第１の予測動きベクトルが生成され、
前記第２の参照動きベクトルを用いて、前記第２の予測動きベクトルが生成される
請求項１に記載の動画像符号化方法。
【請求項３】
前記予測動きベクトル生成ステップでは、
前記符号化済みピクチャが、表示順で前記符号化対象ピクチャより前方に位置する場合に、
前記第１の参照動きベクトルを用いて、前記第１の予測動きベクトルが生成され、
前記第２の参照動きベクトルを用いて、前記第２の予測動きベクトルが生成される
請求項１または２に記載の動画像符号化方法。
【請求項４】
前記予測動きベクトル生成ステップでは、
前記２つの参照動きベクトルのいずれもが、前記符号化対象ピクチャより、表示順で前方を参照する場合に、
前記第１の参照動きベクトルを用いて、前記第１の予測動きベクトルが生成され、
前記第２の参照動きベクトルを用いて、前記第２の予測動きベクトルが生成される
請求項３に記載の動画像符号化方法。
【請求項５】
前記予測動きベクトル生成ステップでは、
前記符号化済みピクチャが、表示順で前記符号化対象ピクチャより後方に位置し、且つ前記２つの参照動きベクトルのいずれもが、前記符号化対象ピクチャより、表示順で後方を参照する場合に、
前記第１の参照動きベクトルを用いて、前記第１の予測動きベクトルが生成され、
前記第２の参照動きベクトルを用いて、前記第２の予測動きベクトルが生成される
請求項１または２に記載の動画像符号化方法。
【請求項６】
前記予測動きベクトル生成ステップでは、
前記２つの参照動きベクトルの参照方向が同一である場合に、
前記第１の参照動きベクトルを用いて、前記第１の予測動きベクトルが生成され、
前記第２の参照動きベクトルを用いて、前記第２の予測動きベクトルが生成される
請求項１〜３の何れか１項に記載の動画像符号化方法。
【請求項７】
前記予測動きベクトル生成ステップでは、
前記２つの参照動きベクトルの参照方向が異なる場合に、
前記２つの参照動きベクトルのうち、表示順で、前記符号化済みピクチャから前記符号化対象ピクチャの方向を参照する１つの参照動きベクトルを用いて、前記第１及び第２の予測動きベクトルを生成する
請求項６に記載の動画像符号化方法。
【請求項８】
前記予測動きベクトル生成ステップでは、
前記２つの参照動きベクトルの参照方向が異なる場合であって、前記符号化済みピクチャが、表示順で前記符号化対象ピクチャより前方に位置する場合に、
前記２つの参照動きベクトルのうち、表示順で後方を参照する１つの参照動きベクトルを用いて、前記第１及び第２の予測動きベクトルを生成する
請求項７に記載の動画像符号化方法。
【請求項９】
前記予測動きベクトル生成ステップでは、
前記２つの参照動きベクトルの参照方向が異なる場合であって、前記符号化済みピクチャが、表示順で前記符号化対象ピクチャより後方に位置する場合に、
前記２つの参照動きベクトルのうち、表示順で前方を参照する１つの参照動きベクトルを用いて、前記第１及び第２の予測動きベクトルを生成する
請求項７に記載の動画像符号化方法。
【請求項１０】
符号化対象ピクチャに含まれる符号化対象ブロックを符号化する動画像符号化装置であって、
動きベクトルを用いて前記符号化対象ブロックを符号化する画像符号化部と、
符号化済みピクチャに含まれる符号化済みブロックの参照動きベクトルから複数の予測動きベクトルを生成する予測動きベクトル生成部と、
前記複数の予測動きベクトルを含む予測動きベクトル候補リストを生成するリスト生成部と、
前記予測動きベクトル候補リストから選択された１つ以上の前記予測動きベクトルを用いて、前記動きベクトルを符号化する動きベクトル符号化部とを備え、
前記予測動きベクトル候補生成部は、
前記符号化済みブロックが２つの参照動きベクトルを有する場合に、
前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、
前記予測動きベクトル候補リストは、第１および第２の予測動きベクトル候補リストからなり、
前記リスト生成部は、
前記第１の参照ピクチャリストに対応する前記第１の予測動きベクトル候補リストに前記第１の予測動きベクトルを追加し、
前記第２の参照ピクチャリストに対応する前記第２の予測動きベクトル候補リストに前記第２の予測動きベクトルを追加する
動画像符号化装置。
【請求項１１】
符号化対象ピクチャに含まれる符号化対象ブロックを符号化する動画像符号化装置であって、
制御回路と、前記制御回路に電気的に接続する記録部とを備え、
前記制御回路は、
動きベクトルを用いて前記符号化対象ブロックを符号化する画像符号化ステップと、
符号化済みピクチャに含まれる符号化済みブロックの参照動きベクトルから複数の予測動きベクトルを生成する予測動きベクトル生成ステップと、
前記複数の予測動きベクトルを含む予測動きベクトル候補リストを生成するリスト生成ステップと、
前記予測動きベクトル候補リストから選択された１つ以上の前記予測動きベクトルを用いて、前記動きベクトルを符号化する動きベクトル符号化ステップとを実行し、
前記予測動きベクトル候補生成ステップでは、
前記符号化済みブロックが２つの参照動きベクトルを有する場合に、
前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、
前記予測動きベクトル候補リストは、第１および第２の予測動きベクトル候補リストからなり、
前記リスト生成ステップでは、
前記第１の参照ピクチャリストに対応する前記第１の予測動きベクトル候補リストに前記第１の予測動きベクトルを追加し、
前記第２の参照ピクチャリストに対応する前記第２の予測動きベクトル候補リストに前記第２の予測動きベクトルを追加する
動画像符号化装置。
【請求項１２】
符号化対象ピクチャに含まれる符号化対象ブロックを符号化するためのプログラムであって、
動きベクトルを用いて前記符号化対象ブロックを符号化する画像符号化ステップと、
符号化済みピクチャに含まれる符号化済みブロックの参照動きベクトルから複数の予測動きベクトルを生成する予測動きベクトル生成ステップと、
前記複数の予測動きベクトルを含む予測動きベクトル候補リストを生成するリスト生成ステップと、
前記予測動きベクトル候補リストから選択された１つ以上の前記予測動きベクトルを用いて、前記動きベクトルを符号化する動きベクトル符号化ステップとをコンピュータに実行させ、
前記予測動きベクトル候補生成ステップでは、
前記符号化済みブロックが２つの参照動きベクトルを有する場合に、
前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、
前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、
前記予測動きベクトル候補リストは、第１および第２の予測動きベクトル候補リストからなり、
前記リスト生成ステップでは、
前記第１の参照ピクチャリストに対応する前記第１の予測動きベクトル候補リストに前記第１の予測動きベクトルを追加し、
前記第２の参照ピクチャリストに対応する前記第２の予測動きベクトル候補リストに前記第２の予測動きベクトルを追加する
プログラム。
【手続補正３】
【補正対象書類名】明細書
【補正対象項目名】００１５
【補正方法】変更
【補正の内容】
【００１５】
本発明の一形態に係る動画像符号化方法は、符号化対象ピクチャに含まれる符号化対象ブロックを符号化する動画像符号化方法であって、動きベクトルを用いて前記符号化対象ブロックを符号化する画像符号化ステップと、符号化済みピクチャに含まれる符号化済みブロックの参照動きベクトルから複数の予測動きベクトルを生成する予測動きベクトル生成ステップと、前記複数の予測動きベクトルを含む予測動きベクトル候補リストを生成するリスト生成ステップと、前記予測動きベクトル候補リストから選択された１つ以上の前記予測動きベクトルを用いて、前記動きベクトルを符号化する動きベクトル符号化ステップとを含み、前記予測動きベクトル生成ステップでは、前記符号化済みブロックが２つの参照動きベクトルを有する場合に、前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、前記予測動きベクトル候補リストは、第１および第２の予測動きベクトル候補リストからなり、前記リスト生成ステップでは、前記第１の参照ピクチャリストに対応する前記第１の予測動きベクトル候補リストに前記第１の予測動きベクトルを追加し、前記第２の参照ピクチャリストに対応する前記第２の予測動きベクトル候補リストに前記第２の予測動きベクトルを追加する。
また、本発明の一形態に係る動画像符号化方法は、符号化対象ピクチャを構成する符号化対象ブロックを、インター予測符号化する方法である。具体的には、動画像符号化方法は、動きベクトルを用いて前記符号化対象ブロックを符号化する画像符号化ステップと、複数の予測動きベクトルを生成する予測動きベクトル候補生成ステップと、前記予測動きベクトル候補生成ステップで生成された複数の前記予測動きベクトルの１つを用いて、前記動きベクトルを符号化する動きベクトル符号化ステップとを含む。そして、符号化済みピクチャに含まれる前記符号化対象ブロックの対応ブロックが２つの参照動きベクトルを有し、且つ当該２つの参照動きベクトルの参照方向が同一である場合、前記予測動きベクトル候補生成ステップでは、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する。
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
符号化対象ピクチャに含まれる符号化対象ブロックを符号化する動画像符号化方法であって、
動きベクトルを用いて前記符号化対象ブロックを符号化する画像符号化ステップと、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、
前記全ての参照ピクチャのうちの１つである符号化済みピクチャに含まれる符号化済みブロックの２つの参照動きベクトルから第１および第２の予測動きベクトルを生成する予測動きベクトル生成ステップと、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、
前記第１の予測動きベクトル候補または前記第２の予測動きベクトル候補リストから選択された１つ以上の予測動きベクトルを用いて、前記動きベクトルを符号化する動きベクトル符号化ステップとを含み、
前記判断ステップにおいて、前記全ての参照ピクチャが表示順で前記符号化対象ピクチャよりも前方に位置すると判断された場合、
前記予測動きベクトル生成ステップでは、
前記２つの参照動きベクトルのうちの第３の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第４の参照ピクチャリストに対応する第２の参照動きベクトルから、前記符号化対象ブロックの第２の参照ピクチャリストに対応する第２の予測動きベクトルを生成し、
前記リスト生成ステップでは、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断ステップにおいて、前記全ての参照ピクチャが表示順で前記符号化対象ピクチャよりも前方に位置すると判断されない場合であって、前記２つの参照動きベクトルの参照方向が異なる場合、
前記予測動きベクトル生成ステップでは、
前記２つの参照動きベクトルのうち１つの参照動きベクトルを選択し、選択した１つの参照動きベクトルから、前記第１及び第２の予測動きベクトルをいずれも生成する
動画像符号化方法。
【請求項２】
前記判断ステップにおいて、前記全ての参照ピクチャが表示順で前記符号化対象ピクチャよりも前方に位置すると判断されない場合であって、前記２つの参照動きベクトルの参照方向が異なり、前記符号化済みピクチャが、表示順で前記符号化対象ピクチャより前方に位置する場合に、
前記予測動きベクトル生成ステップでは、
前記２つの参照動きベクトルのうち、表示順で後方を参照する１つの参照動きベクトルから、前記第１及び第２の予測動きベクトルをいずれも生成する
請求項１に記載の動画像符号化方法。
【請求項３】
前記判断ステップにおいて、前記全ての参照ピクチャが表示順で前記符号化対象ピクチャよりも前方に位置すると判断されない場合であって、前記２つの参照動きベクトルの参照方向が異なり、前記符号化済みピクチャが、表示順で前記符号化対象ピクチャより後方に位置する場合に、
前記予測動きベクトル生成ステップでは、
前記２つの参照動きベクトルのうち、表示順で前方を参照する１つの参照動きベクトルから、前記第１及び第２の予測動きベクトルをいずれも生成する
請求項１に記載の動画像符号化方法。
【請求項４】
符号化対象ピクチャに含まれる符号化対象ブロックを符号化する動画像符号化装置であって、
動きベクトルを用いて前記符号化対象ブロックを符号化する画像符号化部と、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断部と、
前記全ての参照ピクチャのうちの１つである符号化済みピクチャに含まれる符号化済みブロックの２つの参照動きベクトルから第１および第２の予測動きベクトルを生成する予測動きベクトル生成部と、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成部と、
前記第１の予測動きベクトル候補または前記第２の予測動きベクトル候補リストから選択された１つ以上の予測動きベクトルを用いて、前記動きベクトルを符号化する動きベクトル符号化部とを備え、
前記判断部によって、前記全ての参照ピクチャが表示順で前記符号化対象ピクチャよりも前方に位置すると判断された場合、
前記予測動きベクトル生成部は、
前記２つの参照動きベクトルのうちの第３の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第４の参照ピクチャリストに対応する第２の参照動きベクトルから、前記符号化対象ブロックの第２の参照ピクチャリストに対応する第２の予測動きベクトルを生成し、
前記リスト生成部は、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断部によって、前記全ての参照ピクチャが表示順で前記符号化対象ピクチャよりも前方に位置すると判断されない場合であって、前記２つの参照動きベクトルの参照方向が異なる場合、
前記予測動きベクトル生成部は、
前記２つの参照動きベクトルのうち１つの参照動きベクトルを選択し、選択した１つの参照動きベクトルから、前記第１及び第２の予測動きベクトルをいずれも生成する
動画像符号化装置。
【請求項５】
符号化対象ピクチャに含まれる符号化対象ブロックを符号化する動画像符号化装置であって、
制御回路と、前記制御回路に電気的に接続する記録部とを備え、
前記制御回路は、
動きベクトルを用いて前記符号化対象ブロックを符号化する画像符号化ステップと、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、
前記全ての参照ピクチャのうちの１つである符号化済みピクチャに含まれる符号化済みブロックの２つの参照動きベクトルから第１および第２の予測動きベクトルを生成する予測動きベクトル生成ステップと、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、
前記第１の予測動きベクトル候補または前記第２の予測動きベクトル候補リストから選択された１つ以上の予測動きベクトルを用いて、前記動きベクトルを符号化する動きベクトル符号化ステップとを実行し、
前記判断ステップにおいて、前記全ての参照ピクチャが表示順で前記符号化対象ピクチャよりも前方に位置すると判断された場合、
前記予測動きベクトル候補生成ステップでは、
前記２つの参照動きベクトルのうちの第３の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第４の参照ピクチャリストに対応する第２の参照動きベクトルから、前記符号化対象ブロックの第２の参照ピクチャリストに対応する第２の予測動きベクトルを生成し、 
前記リスト生成ステップでは、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断ステップにおいて、前記全ての参照ピクチャが表示順で前記符号化対象ピクチャよりも前方に位置すると判断されない場合であって、前記２つの参照動きベクトルの参照方向が異なる場合、
前記予測動きベクトル生成ステップでは、
前記２つの参照動きベクトルのうち１つの参照動きベクトルを選択し、選択した１つの参照動きベクトルから、前記第１及び第２の予測動きベクトルをいずれも生成する
動画像符号化装置。
【請求項６】
符号化対象ピクチャに含まれる符号化対象ブロックを符号化するためのプログラムであって、
動きベクトルを用いて前記符号化対象ブロックを符号化する画像符号化ステップと、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、
前記全ての参照ピクチャのうちの１つである符号化済みピクチャに含まれる符号化済みブロックの２つの参照動きベクトルから第１および第２の予測動きベクトルを生成する予測動きベクトル生成ステップと、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、
前記第１の予測動きベクトル候補または前記第２の予測動きベクトル候補リストから選択された１つ以上の予測動きベクトルを用いて、前記動きベクトルを符号化する動きベクトル符号化ステップとをコンピュータに実行させ、
前記判断ステップにおいて、前記全ての参照ピクチャが表示順で前記符号化対象ピクチャよりも前方に位置すると判断された場合、
前記予測動きベクトル候補生成ステップでは、
前記２つの参照動きベクトルのうちの第３の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第４の参照ピクチャリストに対応する第２の参照動きベクトルから、前記符号化対象ブロックの第２の参照ピクチャリストに対応する第２の予測動きベクトルを生成し、
前記リスト生成ステップでは、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断ステップにおいて、前記全ての参照ピクチャが表示順で前記符号化対象ピクチャよりも前方に位置すると判断されない場合であって、前記２つの参照動きベクトルの参照方向が異なる場合、
前記予測動きベクトル生成ステップでは、
前記２つの参照動きベクトルのうち１つの参照動きベクトルを選択し、選択した１つの参照動きベクトルから、前記第１及び第２の予測動きベクトルをいずれも生成する
プログラム。
【手続補正２】
【補正対象書類名】明細書
【補正対象項目名】００１５
【補正方法】変更
【補正の内容】
【００１５】
本発明の一形態に係る動画像符号化方法は、符号化対象ピクチャに含まれる符号化対象ブロックを符号化する動画像符号化方法であって、動きベクトルを用いて前記符号化対象ブロックを符号化する画像符号化ステップと、前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、前記全ての参照ピクチャのうちの１つである符号化済みピクチャに含まれる符号化済みブロックの２つの参照動きベクトルから第１および第２の予測動きベクトルを生成する予測動きベクトル生成ステップと、前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、前記第１の予測動きベクトル候補または前記第２の予測動きベクトル候補リストから選択された１つ以上の予測動きベクトルを用いて、前記動きベクトルを符号化する動きベクトル符号化ステップとを含み、前記判断ステップにおいて、前記全ての参照ピクチャが表示順で前記符号化対象ピクチャよりも前方に位置すると判断された場合、前記予測動きベクトル生成ステップでは、前記２つの参照動きベクトルのうちの第３の参照ピクチャリストに対応する第１の参照動きベクトルから、前記符号化対象ブロックの第１の参照ピクチャリストに対応する第１の予測動きベクトルを生成し、前記２つの参照動きベクトルのうち、前記第１の参照動きベクトルとは異なる、第４の参照ピクチャリストに対応する第２の参照動きベクトルから、前記符号化対象ブロックの第２の参照ピクチャリストに対応する第２の予測動きベクトルを生成し、前記リスト生成ステップでは、前記第１の予測動きベクトル候補リストに前記第１の予測動きベクトルを追加し、前記第２の予測動きベクトル候補リストに前記第２の予測動きベクトルを追加し、前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、前記判断ステップにおいて、前記全ての参照ピクチャが表示順で前記符号化対象ピクチャよりも前方に位置すると判断されない場合であって、前記２つの参照動きベクトルの参照方向が異なる場合、前記予測動きベクトル生成ステップでは、前記２つの参照動きベクトルのうち１つの参照動きベクトルを選択し、選択した１つの参照動きベクトルから、前記第１及び第２の予測動きベクトルをいずれも生成する。
また、本発明の一形態に係る動画像符号化方法は、符号化対象ピクチャに含まれる符号化対象ブロックを符号化する動画像符号化方法であって、動きベクトルを用いて前記符号化対象ブロックを符号化する画像符号化ステップと、符号化済みピクチャに含まれる符号化済みブロックの参照動きベクトルから複数の予測動きベクトルを生成する予測動きベクトル生成ステップと、前記複数の予測動きベクトルを含む予測動きベクトル候補リストを生成するリスト生成ステップと、前記予測動きベクトル候補リストから選択された１つ以上の前記予測動きベクトルを用いて、前記動きベクトルを符号化する動きベクトル符号化ステップとを含み、前記予測動きベクトル生成ステップでは、前記符号化済みブロックが２つの参照動きベクトルを有する場合に、前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、前記予測動きベクトル候補リストは、第１および第２の予測動きベクトル候補リストからなり、前記リスト生成ステップでは、前記第１の参照ピクチャリストに対応する前記第１の予測動きベクトル候補リストに前記第１の予測動きベクトルを追加し、前記第２の参照ピクチャリストに対応する前記第２の予測動きベクトル候補リストに前記第２の予測動きベクトルを追加する。
また、本発明の一形態に係る動画像符号化方法は、符号化対象ピクチャを構成する符号化対象ブロックを、インター予測符号化する方法である。具体的には、動画像符号化方法は、動きベクトルを用いて前記符号化対象ブロックを符号化する画像符号化ステップと、複数の予測動きベクトルを生成する予測動きベクトル候補生成ステップと、前記予測動きベクトル候補生成ステップで生成された複数の前記予測動きベクトルの１つを用いて、前記動きベクトルを符号化する動きベクトル符号化ステップとを含む。そして、符号化済みピクチャに含まれる前記符号化対象ブロックの対応ブロックが２つの参照動きベクトルを有し、且つ当該２つの参照動きベクトルの参照方向が同一である場合、前記予測動きベクトル候補生成ステップでは、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する。
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
符号化対象ピクチャに含まれる符号化対象ブロックを符号化する動画像符号化方法であって、
動きベクトルを用いて前記符号化対象ブロックを符号化する画像符号化ステップと、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、
前記全ての参照ピクチャのうちの１つである符号化済みピクチャに含まれる符号化済みブロックの２つの参照動きベクトルから第１および第２の予測動きベクトルを生成する予測動きベクトル生成ステップと、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、
前記第１の予測動きベクトル候補または前記第２の予測動きベクトル候補リストから選択された１つ以上の予測動きベクトルを用いて、前記動きベクトルを符号化する動きベクトル符号化ステップとを含み、
前記判断ステップにおいて、前記全ての参照ピクチャが表示順で前記符号化対象ピクチャよりも前方に位置すると判断された場合、
前記予測動きベクトル生成ステップでは、
前記２つの参照動きベクトルのうちの第１の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第２の参照ピクチャリストに対応する第２の参照動きベクトルから、前記符号化対象ブロックの第２の参照ピクチャリストに対応する第２の予測動きベクトルを生成し、
前記リスト生成ステップでは、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断ステップにおいて、前記全ての参照ピクチャが表示順で前記符号化対象ピクチャよりも前方に位置すると判断されない場合であって、前記２つの参照動きベクトルの参照方向が異なる場合、
前記予測動きベクトル生成ステップでは、
前記２つの参照動きベクトルのうち１つの参照動きベクトルを選択し、選択した１つの参照動きベクトルから、前記第１及び第２の予測動きベクトルをいずれも生成する
動画像符号化方法。
【請求項２】
前記判断ステップにおいて、前記全ての参照ピクチャが表示順で前記符号化対象ピクチャよりも前方に位置すると判断されない場合であって、前記２つの参照動きベクトルの参照方向が異なり、前記符号化済みピクチャが、表示順で前記符号化対象ピクチャより前方に位置する場合に、
前記予測動きベクトル生成ステップでは、
前記２つの参照動きベクトルのうち、表示順で後方を参照する１つの参照動きベクトルから、前記第１及び第２の予測動きベクトルをいずれも生成する
請求項１に記載の動画像符号化方法。
【請求項３】
前記判断ステップにおいて、前記全ての参照ピクチャが表示順で前記符号化対象ピクチャよりも前方に位置すると判断されない場合であって、前記２つの参照動きベクトルの参照方向が異なり、前記符号化済みピクチャが、表示順で前記符号化対象ピクチャより後方に位置する場合に、
前記予測動きベクトル生成ステップでは、
前記２つの参照動きベクトルのうち、表示順で前方を参照する１つの参照動きベクトルから、前記第１及び第２の予測動きベクトルをいずれも生成する
請求項１に記載の動画像符号化方法。
【請求項４】
符号化対象ピクチャに含まれる符号化対象ブロックを符号化する動画像符号化装置であって、
動きベクトルを用いて前記符号化対象ブロックを符号化する画像符号化部と、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断部と、
前記全ての参照ピクチャのうちの１つである符号化済みピクチャに含まれる符号化済みブロックの２つの参照動きベクトルから第１および第２の予測動きベクトルを生成する予測動きベクトル生成部と、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成部と、
前記第１の予測動きベクトル候補または前記第２の予測動きベクトル候補リストから選択された１つ以上の予測動きベクトルを用いて、前記動きベクトルを符号化する動きベクトル符号化部とを備え、
前記判断部によって、前記全ての参照ピクチャが表示順で前記符号化対象ピクチャよりも前方に位置すると判断された場合、
前記予測動きベクトル生成部は、
前記２つの参照動きベクトルのうちの第１の参照ピクチャリストに対応する第１の参照動きベクトルから、前記符号化対象ブロックの第１の参照ピクチャリストに対応する第１の予測動きベクトルを生成し、 
前記２つの参照動きベクトルのうち、前記第１の参照動きベクトルとは異なる、第２の参照ピクチャリストに対応する第２の参照動きベクトルから、前記符号化対象ブロックの第２の参照ピクチャリストに対応する第２の予測動きベクトルを生成し、
前記リスト生成部は、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断部によって、前記全ての参照ピクチャが表示順で前記符号化対象ピクチャよりも前方に位置すると判断されない場合であって、前記２つの参照動きベクトルの参照方向が異なる場合、
前記予測動きベクトル生成部は、
前記２つの参照動きベクトルのうち１つの参照動きベクトルを選択し、選択した１つの参照動きベクトルから、前記第１及び第２の予測動きベクトルをいずれも生成する
動画像符号化装置。
【請求項５】
符号化対象ピクチャに含まれる符号化対象ブロックを符号化する動画像符号化装置であって、
制御回路と、前記制御回路に電気的に接続する記録部とを備え、
前記制御回路は、
動きベクトルを用いて前記符号化対象ブロックを符号化する画像符号化ステップと、
前記記録部に記録された、前記符号化対象ブロックが有する、第１の参照ピクチャリスト、および、第２の参照ピクチャリストに保持されている、全ての参照ピクチャが表示順で前記符号化対象ピクチャよりも前方に位置するか否かを判断する判断ステップと、
前記全ての参照ピクチャのうちの１つである符号化済みピクチャに含まれる符号化済みブロックの２つの参照動きベクトルから第１および第２の予測動きベクトルを生成する予測動きベクトル生成ステップと、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、
前記第１の予測動きベクトル候補または前記第２の予測動きベクトル候補リストから選択された１つ以上の予測動きベクトルを用いて、前記動きベクトルを符号化する動きベクトル符号化ステップとを実行し、
前記判断ステップにおいて、前記全ての参照ピクチャが表示順で前記符号化対象ピクチャよりも前方に位置すると判断された場合、
前記予測動きベクトル候補生成ステップでは、
前記２つの参照動きベクトルのうちの第１の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第２の参照ピクチャリストに対応する第２の参照動きベクトルから、前記符号化対象ブロックの第２の参照ピクチャリストに対応する第２の予測動きベクトルを生成し、 
前記リスト生成ステップでは、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断ステップにおいて、前記全ての参照ピクチャが表示順で前記符号化対象ピクチャよりも前方に位置すると判断されない場合であって、前記２つの参照動きベクトルの参照方向が異なる場合、
前記予測動きベクトル生成ステップでは、
前記２つの参照動きベクトルのうち１つの参照動きベクトルを選択し、選択した１つの参照動きベクトルから、前記第１及び第２の予測動きベクトルをいずれも生成する
動画像符号化装置。
【請求項６】
符号化対象ピクチャに含まれる符号化対象ブロックを符号化するためのプログラムであって、
動きベクトルを用いて前記符号化対象ブロックを符号化する画像符号化ステップと、
前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、
前記全ての参照ピクチャのうちの１つである符号化済みピクチャに含まれる符号化済みブロックの２つの参照動きベクトルから第１および第２の予測動きベクトルを生成する予測動きベクトル生成ステップと、
前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、
前記第１の予測動きベクトル候補または前記第２の予測動きベクトル候補リストから選択された１つ以上の予測動きベクトルを用いて、前記動きベクトルを符号化する動きベクトル符号化ステップとをコンピュータに実行させ、
前記判断ステップにおいて、前記全ての参照ピクチャが表示順で前記符号化対象ピクチャよりも前方に位置すると判断された場合、
前記予測動きベクトル候補生成ステップでは、
前記２つの参照動きベクトルのうちの第１の参照ピクチャリストに対応する第１の参照動きベクトルから、前記符号化対象ブロックの第１の参照ピクチャリストに対応する第１の予測動きベクトルを生成し、
前記２つの参照動きベクトルのうち、前記第１の参照動きベクトルとは異なる、第２の参照ピクチャリストに対応する第２の参照動きベクトルから、前記符号化対象ブロックの第２の参照ピクチャリストに対応する第２の予測動きベクトルを生成し、
前記リスト生成ステップでは、
前記第１の予測動きベクトル候補リストに前記第１の予測動きベクトルを追加し、
前記第２の予測動きベクトル候補リストに前記第２の予測動きベクトルを追加し、
前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、
前記判断ステップにおいて、前記全ての参照ピクチャが表示順で前記符号化対象ピクチャよりも前方に位置すると判断されない場合であって、前記２つの参照動きベクトルの参照方向が異なる場合、
前記予測動きベクトル生成ステップでは、
前記２つの参照動きベクトルのうち１つの参照動きベクトルを選択し、選択した１つの参照動きベクトルから、前記第１及び第２の予測動きベクトルをいずれも生成する
プログラム。
【手続補正２】
【補正対象書類名】明細書
【補正対象項目名】００１５
【補正方法】変更
【補正の内容】
【００１５】
本発明の一形態に係る動画像符号化方法は、符号化対象ピクチャに含まれる符号化対象ブロックを符号化する動画像符号化方法であって、動きベクトルを用いて前記符号化対象ブロックを符号化する画像符号化ステップと、前記符号化対象ブロックが有する、第１の参照ピクチャリスト、および、第２の参照ピクチャリストに保持されている全ての参照ピクチャが表示順で前記符号化対象ピクチャよりも前方に位置するか否かを判断する判断ステップと、前記全ての参照ピクチャのうちの１つである符号化済みピクチャに含まれる符号化済みブロックの２つの参照動きベクトルから第１および第２の予測動きベクトルを生成する予測動きベクトル生成ステップと、前記第１および第２の予測動きベクトルをそれぞれ含み、前記第１の参照ピクチャリストに対応する第１の予測動きベクトル候補リスト、および、前記第２の参照ピクチャリストに対応する第２の予測動きベクトル候補リストを生成するリスト生成ステップと、前記第１の予測動きベクトル候補または前記第２の予測動きベクトル候補リストから選択された１つ以上の予測動きベクトルを用いて、前記動きベクトルを符号化する動きベクトル符号化ステップとを含み、前記判断ステップにおいて、前記全ての参照ピクチャが表示順で前記符号化対象ピクチャよりも前方に位置すると判断された場合、前記予測動きベクトル生成ステップでは、前記２つの参照動きベクトルのうちの第１の参照ピクチャリストに対応する第１の参照動きベクトルから、前記符号化対象ブロックの第１の参照ピクチャリストに対応する第１の予測動きベクトルを生成し、前記２つの参照動きベクトルのうち、前記第１の参照動きベクトルとは異なる、第２の参照ピクチャリストに対応する第２の参照動きベクトルから、前記符号化対象ブロックの第２の参照ピクチャリストに対応する第２の予測動きベクトルを生成し、前記リスト生成ステップでは、前記第１の予測動きベクトル候補リストに前記第１の予測動きベクトルを追加し、前記第２の予測動きベクトル候補リストに前記第２の予測動きベクトルを追加し、前記第２の参照動きベクトルから生成される前記第２の予測動きベクトルは前記第１の予測動きベクトル候補リストには追加されず、前記第１の参照動きベクトルから生成される前記第１の予測動きベクトルは前記第２の予測動きベクトル候補リストには追加されず、前記判断ステップにおいて、前記全ての参照ピクチャが表示順で前記符号化対象ピクチャよりも前方に位置すると判断されない場合であって、前記２つの参照動きベクトルの参照方向が異なる場合、前記予測動きベクトル生成ステップでは、前記２つの参照動きベクトルのうち１つの参照動きベクトルを選択し、選択した１つの参照動きベクトルから、前記第１及び第２の予測動きベクトルをいずれも生成する。
また、本発明の一形態に係る動画像符号化方法は、符号化対象ピクチャに含まれる符号化対象ブロックを符号化する動画像符号化方法であって、動きベクトルを用いて前記符号化対象ブロックを符号化する画像符号化ステップと、符号化済みピクチャに含まれる符号化済みブロックの参照動きベクトルから複数の予測動きベクトルを生成する予測動きベクトル生成ステップと、前記複数の予測動きベクトルを含む予測動きベクトル候補リストを生成するリスト生成ステップと、前記予測動きベクトル候補リストから選択された１つ以上の前記予測動きベクトルを用いて、前記動きベクトルを符号化する動きベクトル符号化ステップとを含み、前記予測動きベクトル生成ステップでは、前記符号化済みブロックが２つの参照動きベクトルを有する場合に、前記２つの参照動きベクトルのうちの第１の参照ピクチャリストに対応する第１の参照動きベクトルを用いて、前記符号化対象ブロックの第１の参照ピクチャリストに対応する第１の予測動きベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測動きベクトルを生成し、前記予測動きベクトル候補リストは、第１および第２の予測動きベクトル候補リストからなり、前記リスト生成ステップでは、前記第１の参照ピクチャリストに対応する前記第１の予測動きベクトル候補リストに前記第１の予測動きベクトルを追加し、前記第２の参照ピクチャリストに対応する前記第２の予測動きベクトル候補リストに前記第２の予測動きベクトルを追加する。
また、本発明の一形態に係る動画像符号化方法は、符号化対象ピクチャを構成する符号化対象ブロックを、インター予測符号化する方法である。具体的には、動画像符号化方法は、動きベクトルを用いて前記符号化対象ブロックを符号化する画像符号化ステップと、複数の予測動きベクトルを生成する予測動きベクトル候補生成ステップと、前記予測動きベクトル候補生成ステップで生成された複数の前記予測動きベクトルの１つを用いて、前記動きベクトルを符号化する動きベクトル符号化ステップとを含む。そして、符号化済みピクチャに含まれる前記符号化対象ブロックの対応ブロックが２つの参照動きベクトルを有し、且つ当該２つの参照動きベクトルの参照方向が同一である場合、前記予測動きベクトル候補生成ステップでは、前記２つの参照動きベクトルのうちの第１の参照ピクチャリストに対応する第１の参照動きベクトルを用いて、前記符号化対象ブロックの第１の参照ピクチャリストに対応する第１の予測ベクトルを生成し、前記２つの参照動きベクトルのうちの第２の参照ピクチャリストに対応する第２の参照動きベクトルを用いて、前記符号化対象ブロックの第２の参照ピクチャリストに対応する第２の予測ベクトルを生成する。
【国際調査報告】
2012117728.tif 000047
2012117728.tif 000048
2012117728.tif 000049
2012117728.tif 000050